(57)【特許請求の範囲】
【請求項１】
外部の電源から電気機器に供給された電力の計測結果を取得する電力取得部と，
前記電気機器の稼動状況を取得する稼動状況取得部と，
前記稼動状況から，前記計測結果で前記電気機器による電力の消費が計測されなかった期間において，前記電気機器が稼動している計測外稼動期間を特定する計測外稼動期間特定部と，
前記計測結果から，前記計測結果で前記電気機器による電力の消費が計測された期間における前記電気機器が有する電池の蓄電状況を推定する蓄電状況推定部と，
前記計測外稼動期間と前記蓄電状況とから，前記計測結果で前記電気機器による電力の消費が計測されなかった期間における前記電気機器による消費電力量を推定する消費電力量推定部とを備える
ことを特徴とする管理装置。
【請求項２】
前記計測外稼動期間において，外部の電源に接続した前記電気機器の使用と，前記電池の蓄電電力を利用した前記電気機器の使用との度合いを示す情報を記憶する利用ポリシ情報記憶部を備え，
前記消費電力量推定部は，前記度合いを示す情報に基づいて，外部の電源に接続した前記電気機器の稼動と，前記電池の蓄電電力を利用した前記電気機器の稼動とを推定し，前記計測外稼動期間と前記蓄電状況とから，前記計測結果で前記電気機器による電力の消費が計測されなかった期間における前記電気機器による消費電力量を推定する
ことを特徴とする請求項１に記載の管理装置。
【請求項３】
前記電池の容量を記憶する電池容量情報記憶部と，
時間の経過に応じて，前記電池容量情報記憶部に記憶された前記電池の容量を，自動的に減らして更新する電池容量更新部と，
前記計測結果で前記電気機器による電力の消費が計測された期間における前記電池に対する充電量が，前記電池容量情報記憶部に記憶された前記電池の容量を超えたときに，前記電池容量情報記憶部に記憶された前記電池の容量を該充電量で更新する電池容量推定部とを備える
ことを特徴とする請求項１または請求項２に記載の管理装置。
【請求項４】
外部電源接続時の前記電気機器の稼動による消費電力を示す外部接続機器消費電力を記憶する外部接続機器消費電力情報記憶部と，
前記計測結果で前記電気機器による電力の消費が計測された期間であり，かつ前記稼動状況で前記電気機器が稼動する期間において，前記計測結果から，時間の経過とともに計測される電力が減少する際に漸近する値を推定し，前記外部接続機器消費電力情報記憶部に記憶された前記外部接続機器消費電力を，推定された漸近する値で更新する外部接続機器消費電力推定部とを備える
ことを特徴とする請求項１から請求項３までのいずれかに記載の管理装置。
【請求項５】
前記電池の蓄電電力を利用した前記電気機器の稼動による消費電力を示す電池利用機器消費電力を記憶する電池利用機器消費電力情報記憶部と，
前記電力が計測される外部の電源から前記電気機器への電力供給を制御する電源制御部と，
前記電源制御部により前記電気機器への電力供給が一時的に切断された際に，前記計測結果から，切断前後の前記電池の蓄電量の差を求め，求められた蓄電量の差と切断の時間とから新たな電池利用機器消費電力を推定し，前記電池利用機器消費電力情報記憶部に記憶された電池利用機器消費電力を，推定された新たな電池利用機器消費電力で更新する電池利用機器消費電力推定部とを備える
ことを特徴とする請求項１から請求項４までのいずれかに記載の管理装置。
【請求項６】
コンピュータに，
外部の電源から電気機器に供給された電力の計測結果を取得する手順と，
前記電気機器の稼動状況を取得する手順と，
前記稼動状況から，前記計測結果で前記電気機器による電力の消費が計測されなかった期間において，前記電気機器が稼動している計測外稼動期間を特定する手順と，
前記計測結果から，前記計測結果で前記電気機器による電力の消費が計測された期間における前記電気機器が有する電池の蓄電状況を推定する手順と，
前記計測外稼動期間と前記蓄電状況とから，前記計測結果で前記電気機器による電力の消費が計測されなかった期間における前記電気機器による消費電力量を推定する手順とを
実行させるための計測外消費電力量推定プログラム。
【請求項７】
コンピュータが，
外部の電源から電気機器に供給された電力の計測結果を取得する過程と，
前記電気機器の稼動状況を取得する過程と，
前記稼動状況から，前記計測結果で前記電気機器による電力の消費が計測されなかった期間において，前記電気機器が稼動している計測外稼動期間を特定する過程と，
前記計測結果から，前記計測結果で前記電気機器による電力の消費が計測された期間における前記電気機器が有する電池の蓄電状況を推定する過程と，
前記計測外稼動期間と前記蓄電状況とから，前記計測結果で前記電気機器による電力の消費が計測されなかった期間における前記電気機器による消費電力量を推定する過程とを実行する
ことを特徴とする計測外消費電力量推定方法。
【発明の詳細な説明】
【技術分野】
【０００１】
本発明は，電気機器の消費電力の計測や消費電力量の管理を行う電力センシングシステムにおける，管理装置，計測外消費電力量推定プログラムおよび計測外消費電力量推定方法に関するものである。
【背景技術】
【０００２】
近年，省エネルギー化の推進や，人間の行動センシングなどを目的として，電力センシングシステムの普及が進んでいる。電力センシングシステムでは，例えば，家庭やオフィスなどにおいて，電力配電盤や電源タップに電力計測機能を備えさせ，家庭やオフィスでの電気機器の消費電力を計測し，消費電力量を管理する。
【０００３】
例えば，電力センシングシステムが導入された企業のオフィスにおいて，ある従業者が使用する特定の情報機器を対象として，消費電力の計測を行うものとする。このとき，例えば，オフィス内のその従業者の座席に，電力計測機能を持つ電源タップが設置される。その従業者は，自席に設置された電力計測機能を持つ電源タップから電源を取って，対象の情報機器を使用する。電源タップの電力計測機能により，対象の情報機器による消費電力が計測される。
【０００４】
なお，複数の電気機器を接続可能なテーブルタップで，複数の電気機器による消費電力等を計測する技術が知られている。また，電気機器のＯＮ／ＯＦＦ制御の時刻から，該電気機器の電源ＯＮ状態の時間等を算出し，電源ＯＮ状態のときには定格消費電力が消費されたものとして，該電気機器の消費電力量を求める技術が知られている。また，機器の稼動情報等を取得し，機器稼動の実績データからエネルギー消費を予測する技術が知られている。
【先行技術文献】
【特許文献】
【０００５】
【特許文献１】特開２００８−２６１８２６号公報
【特許文献２】特開２００５−３４７８３９号公報
【特許文献３】特開２００５−１５８０２０号公報
【発明の概要】
【発明が解決しようとする課題】
【０００６】
上述のように，オフィス内に電力計測機能を持つ電源タップを導入することにより，オフィス内で使用する電気機器の消費電力を計測することが可能となる。
【０００７】
しかし，電力計測機能を持つ電源タップは一般に高価であるので，元々オフィス内に設置されていた電力計測機能を持たない電源タップを，一斉に電力計測機能を持つ電源タップに置き換えることは，難しい。例えば，従業者が使用する電気機器の消費電力の測定のために，従業者の座席には電力計測機能を持つ電源タップが設置されていても，会議室などには電力計測機能を持つ電源タップが設置されていないという状況も考えられる。
【０００８】
このような状況のもと，例えばある従業員の特定のモバイル機器を対象として，消費電力の計測と，消費電力量の管理とを行うものとする。従業員が自席でモバイル機器を利用する場合には，そのモバイル機器を自席に設置された電力計測機能を持つ電源タップの特定のタップ口に電源接続することで，消費電力の計測が可能である。しかし，会議室や出張先などで，従業員がそのモバイル機器の電源として電力計測機能を持たない電源タップを利用した場合には，その利用分の消費電力が計測できず，その期間の消費電力量が管理から漏れてしまう。
【０００９】
上述の技術では，電気機器の稼動状況から定格消費電力を用いて消費電力量を推定することが提案されている。しかし，この技術は，実際の電気機器の消費電力を計測していないため，得られる消費電力量の精度が低くなる。消費電力が計測できない状況における電気機器の消費電力量の推定にのみ上述の技術を用いるとしても，移動先でバッテリの蓄電電力を利用して電気機器が稼動された場合には，消費電力量が二重に加算されてしまうので，得られる消費電力量の精度が低くなる。
【００１０】
開示する技術の一側面は，上記の問題の解決を図り，消費電力が計測できない状況における電気機器の消費電力量の推定を，高精度に行うことが可能となる技術を提供することを目的とする。
【課題を解決するための手段】
【００１１】
開示する管理装置は，外部の電源から電気機器に供給された電力の計測結果を取得する電力取得部と，電気機器の稼動状況を取得する稼動状況取得部と，稼動状況から，計測結果で電気機器による電力の消費が計測されなかった期間において，電気機器が稼動している計測外稼動期間を特定する計測外稼動期間特定部と，計測結果から，計測結果で電気機器による電力の消費が計測された期間における電気機器が有する電池の蓄電状況を推定する蓄電状況推定部と，計測外稼動期間と蓄電状況とから，計測結果で電気機器による電力の消費が計測されなかった期間における電気機器による消費電力量を推定する消費電力量推定部とを備える。
【発明の効果】
【００１２】
開示する技術によって，消費電力が計測できない状況における電気機器の消費電力量の推定を，高精度に行うことが可能となる。
【図面の簡単な説明】
【００１３】
【図１】本実施の形態１による電力センシングシステムの構成例を示す図である。
【図２】本実施の形態による管理装置を実現するハードウェアの構成例を示す図である。
【図３】本実施の形態１による情報記憶部の構成例を示す図である。
【図４】本実施の形態による機器・コンセント対応情報記憶部に格納されるデータの構成例を示す図である。
【図５】本実施の形態による計測結果情報記憶部に格納されるデータの構成例を示す図である。
【図６】本実施の形態による稼動状況情報記憶部に格納されるデータの構成例を示す図である。
【図７】本実施の形態によるアウェアネス情報記憶部に格納されるデータの構成例を示す図である。
【図８】本実施の形態による外部接続機器消費電力情報記憶部に格納されるデータの構成例を示す図である。
【図９】本実施の形態による電池利用機器消費電力情報記憶部に格納されるデータの構成例を示す図である。
【図１０】本実施の形態による電池容量情報記憶部に格納されるデータの構成例を示す図である。
【図１１】本実施の形態による定数管理情報記憶部に格納されるデータの構成例を示す図である。
【図１２】本実施の形態による変数管理情報記憶部に格納されるデータの構成例を示す図である。
【図１３】情報機器の稼動状況と電力測定部による電力の計測結果との関係を説明する図である。
【図１４】計測外時間帯開始時のバッテリの状況と計測外時間帯終了時のバッテリの状況とを説明する図である。
【図１５】外部電源接続時の情報機器の消費電力とバッテリの蓄電量との関係を説明する図である。
【図１６】計測時間帯におけるバッテリの充電量とプラグアウト蓄電量，プラグイン蓄電量との関係を示す図である。
【図１７】本実施の形態１による計測外消費電力量推定部による計測外消費電力量推定全体処理フローチャートである。
【図１８】本実施の形態１による計測外消費電力量推定部による計測外消費電力量推定全体処理フローチャートである。
【図１９】本実施の形態１の計測外消費電力量推定部による充電処理フローチャートである。
【図２０】本実施の形態１の計測外消費電力量推定部による計測外消費電力量推定処理フローチャートである。
【図２１】本実施の形態２による電力センシングシステムの構成例を示す図である。
【図２２】計測外稼動期間における情報機器の利用状況を説明する図である。
【図２３】蓄電量差が正値である場合の計測外消費電力量を説明する図である。
【図２４】蓄電量差が負値である場合の計測外消費電力量を説明する図である。
【図２５】本実施の形態２による利用ポリシ情報記憶部に格納されるデータの構成例を示す図である。
【図２６】本実施の形態２の計測外消費電力量推定部による充電処理フローチャートである。
【図２７】本実施の形態２の計測外消費電力量推定部による計測外消費電力量推定処理フローチャートである。
【図２８】本実施の形態３による電力センシングシステムの構成例を示す図である。
【図２９】本実施の形態３の電池容量更新部による電池容量更新処理フローチャートである。
【図３０】本実施の形態３の電池容量推定部による電池容量推定処理フローチャートである。
【図３１】本実施の形態４による電力センシングシステムの構成例を示す図である。
【図３２】本実施の形態４による外部接続時推定管理情報記憶部に格納されるデータの構成例を示す図である。
【図３３】本実施の形態４の外部接続機器消費電力推定部による外部接続機器消費電力推定処理フローチャートである。
【図３４】本実施の形態５による電力センシングシステムの構成例を示す図である。
【図３５】本実施の形態５による電池利用時推定管理情報記憶部に格納されるデータの構成例を示す図である。
【図３６】本実施の形態５の計測外消費電力量推定部による電池利用機器消費電力推定処理フローチャートである。
【発明を実施するための形態】
【００１４】
以下，本実施の形態について，図を用いて説明する。
【００１５】
〔実施の形態１〕
図１は，本実施の形態１による電力センシングシステムの構成例を示す図である。
【００１６】
電力センシングシステムは，家庭や企業のオフィスなどで使用される電気機器の消費電力を測定し，管理するシステムである。図１に示す電力センシングシステムは，例えば企業のオフィスで従業者が使用する情報機器３０の消費電力を計測し，管理するシステムの例であるものとする。オフィスに電力センシングシステムを導入することにより，例えばオフィスで使用される情報機器３０の消費電力の計測結果を解析して無駄な電力使用を見つけ出し，それを解消することでオフィスの省電力化を図ることができる。
【００１７】
図１に示す電力センシングシステムは，管理装置１０，情報機器３０，電力測定部４０，電力系５０，ネットワーク６０，アウェアネスサーバ７０，ネットワーク８０を有する。
【００１８】
管理装置１０は，電力センシングシステムを管理する装置であり，計測された消費電力の管理や解析などを行う。
【００１９】
情報機器３０は，ノートＰＣ（Personal Computer ）などの情報処理機能を持つ電気機器である。以下では，消費電力の計測対象の電気機器として，主に情報機器３０の例について説明する。情報機器３０は，移動が可能であり，外部の電源がない場所でも使用できるように，バッテリが内蔵されている。バッテリは，充電が可能な電池である。
【００２０】
電力測定部４０は，情報機器３０に供給される電力，すなわち情報機器３０による消費電力を測定する。電力測定部４０は，例えば情報機器３０のプラグを差し込むコンセントなど，情報機器３０に電力を供給する電力系５０に配置される。本実施の形態では，情報機器３０に内蔵された電源であるバッテリに対して，コンセントなどの情報機器３０外の電力供給部を，外部電源と呼ぶものとする。
【００２１】
なお，本実施の形態では，特定の電気機器に電力を供給する特定の電力供給部が，あらかじめ決められているものとする。例えば，図１に示す情報機器３０は，原則として，その利用者の座席に設置された電力供給部である特定のコンセントから，電力の供給を受けることになっている。利用者の座席に設置された特定のコンセントには，電力測定部４０が設置されている。なお，情報機器３０を移動して使用する際には，例外として，移動先の場所のコンセントから電力の供給を受けてもよいことになっているものとする。
【００２２】
アウェアネスサーバ７０は，オフィス内の電気機器の稼動状況を監視するアウェアネスシステムの管理サーバである。アウェアネスサーバ７０は，アウェアネス情報記憶部７１を備える。アウェアネス情報記憶部７１は，アウェアネス情報を記憶する，コンピュータがアクセス可能な記憶部である。アウェアネス情報は，アウェアネスシステム管理下の各電器機器の稼動状況を記録する情報である。
【００２３】
アウェアネスシステムにおいて，例えば，情報機器３０は，起動時や停止時に，アウェアネスサーバ７０に対して起動や停止を示す通知を送る。また，情報機器３０は，稼動中に，定期的にアウェアネスサーバ７０に対して自身の稼動を示す通知を送る。
【００２４】
アウェアネスサーバ７０は，情報機器３０から起動を示す通知を受けると，アウェアネス情報記憶部７１に記憶されたアウェアネス情報の該当情報機器３０のレコードに“稼動中”を記録する。また，アウェアネスサーバ７０は，情報機器３０から停止を示す通知を受けると，アウェアネス情報記憶部７１に記憶されたアウェアネス情報の該当情報機器３０のレコードに“稼動停止”を記録する。また，情報機器３０からの稼動を示す通知が所定時間以上続いた場合に，アウェアネスサーバ７０は，アウェアネス情報記憶部７１に記憶されたアウェアネス情報の該当情報機器３０のレコードを“稼動停止”に更新する。
【００２５】
なお，アウェアネスシステムは，例えば，情報機器３０からのメールサーバへのアクセス状況を監視し，一定時間ごとにアクセスが行われている場合に，情報機器３０が稼動しているものと判断するシステムでもよい。このように，情報機器３０の稼動状況を監視するアウェアネスシステムの設計は，任意である。
【００２６】
管理装置１０と，電力測定部４０とは，ＬＡＮ（Local Area Network）等のネットワーク６０を介して通信を行う。また，管理装置１０，情報機器３０，アウェアネスサーバ７０は，ＬＡＮ等のネットワーク８０を介して通信を行う。図１に示す電力センシングシステムでは，ネットワーク６０とネットワーク８０とは別のネットワークとなっているが，ネットワーク６０とネットワーク８０とが１つの同じネットワークであってもよい。
【００２７】
なお，図１に示す電力センシングシステムでは，消費電力計測の対象となる電気機器が情報機器３０の１台しか示されていないが，実際には，オフィス内の複数の電気機器が消費電力計測の対象となっているものとする。
【００２８】
管理装置１０は，電力センシングの対象となる情報機器３０による消費電力量を算出する消費電力量算出機構（図示省略）を備える。消費電力量算出機構では，電力測定部４０による情報機器３０の消費電力の計測結果から，情報機器３０の消費電力量が求められる。
【００２９】
ただし，情報機器３０が電力測定部４０が設置されていないコンセントに電源接続されて使用された期間については，その消費電力が計測できないので，消費電力量を求めることができない。本実施の形態による管理装置１０は，情報機器３０による電力の消費が計測されなかった期間について，情報機器３０による消費電力量を推定する機構である計測外消費電力量推定部１０１を備える。なお，計測外消費電力量推定部１０１が，上述の消費電力量算出機構（図示省略）の一部であってもよい。
【００３０】
計測外消費電力量推定部１０１は，電力測定部４０での電力の計測結果で情報機器３０による電力の消費が計測されなかった期間について，その電力測定部４０が配置された電源外で情報機器３０により消費された電力量を推定する。計測外消費電力量推定部１０１は，電力取得部１１０，稼動状況取得部１１１，計測外稼動期間特定部１１２，蓄電状況推定部１１３，消費電力量推定部１１４，情報記憶部２００を備える。
【００３１】
電力取得部１１０は，外部電源から電気機器に供給された電力の計測結果を取得する。図１に示す例において，電力取得部１１０は，消費電力の計測対象である情報機器３０について，電力測定部４０による消費電力の計測結果を取得する。取得された計測結果の情報は，情報記憶部２００に記憶される。
【００３２】
稼動状況取得部１１１は，電気機器の稼動状況を取得する。図１に示す例において，稼動状況取得部１１１は，消費電力の計測対象である情報機器３０の稼動状況を，アウェアネスサーバ７０から取得する。取得された稼動状況の情報は，情報記憶部２００に記憶される。
【００３３】
計測外稼動期間特定部１１２は，取得された計測結果で電気機器による電力の消費が計測されなかった期間において，電気機器が稼動している期間を示す計測外稼動期間を，取得された電気機器の稼動状況から特定する。図１に示す例において，計測外稼動期間特定部１１２は，取得された電力測定部４０による消費電力の計測結果から，情報機器３０による電力の消費が計測されなかった時間帯である計測外時間帯を特定する。計測外稼動期間特定部１１２は，取得された情報機器３０の稼動状況から，計測外時間帯で情報機器３０が稼動している期間を，計測外稼動期間として特定する。
【００３４】
蓄電状況推定部１１３は，取得された計測結果で電気機器による電力の消費が計測された期間における，電気機器が有する電池の蓄電状況を，取得された計測結果から推定する。図１に示す例において，蓄電状況推定部１１３は，取得された電力測定部４０による消費電力の計測結果から，情報機器３０による電力の消費が計測された時間帯である計測時間帯を特定する。蓄電状況推定部１１３は，取得された電力測定部４０による消費電力の計測結果から，計測時間帯における情報機器３０が有するバッテリの充電量や，計測時間帯の開始時のバッテリの蓄電量，計測時間帯の終了時のバッテリの蓄電量などの蓄電状況を推定する。
【００３５】
消費電力量推定部１１４は，特定された計測外稼動期間と推定された蓄電状況とから，取得された計測結果で電気機器による電力の消費が計測されなかった期間における電気機器による消費電力量を推定する。図１に示す例において，消費電力量推定部１１４は，特定された情報機器３０の計測外稼動期間と，推定された情報機器３０が有するバッテリの蓄電状況とから，計測外時間帯における情報機器３０による外部電源からの消費電力量を推定する。以下では，計測外時間帯における情報機器３０による外部電源からの消費電力量を，計測外消費電力量と呼ぶ。推定された計測外消費電力量は，情報記憶部２００に記憶される。
【００３６】
情報記憶部２００は，あらかじめ設定された情報，取得された情報，計測外消費電力量を推定する過程で得られる情報，計測外消費電力量の推定結果の情報などを記憶する，コンピュータがアクセス可能な記憶部である。
【００３７】
図２は，本実施の形態による管理装置を実現するハードウェアの構成例を示す図である。
【００３８】
図１に示す本実施の形態の管理装置１０は，例えば，ＣＰＵ（Central Processing Unit ）２，主記憶となるメモリ３，記憶装置４，通信装置５，媒体読取・書込装置６，入力装置７，出力装置８等を備えるコンピュータ１によって実現される。記憶装置４は，例えばＨＤＤ（Hard Disk Drive ）などである。媒体読取・書込装置６は，例えばＣＤ−Ｒ（Compact Disc Recordable ）ドライブやＤＶＤ−Ｒ（Digital Versatile Disc Recordable ）ドライブなどである。入力装置７は，例えばキーボードやマウスなどである。出力装置８は，例えばディスプレイなどである。
【００３９】
図１に示す管理装置１０が備える各機能部は，コンピュータ１が備えるＣＰＵ２，メモリ３等のハードウェアと，ソフトウェアプログラムとによって実現することが可能である。コンピュータ１が実行可能なプログラムは，記憶装置４に記憶され，その実行時にメモリ３に読み出され，ＣＰＵ２により実行される。
【００４０】
コンピュータ１は，可搬型記録媒体から直接プログラムを読み取り，そのプログラムに従った処理を実行することもできる。また，コンピュータ１は，サーバコンピュータからプログラムが転送されるごとに，逐次，受け取ったプログラムに従った処理を実行することもできる。さらに，このプログラムは，コンピュータ１で読み取り可能な記録媒体に記録しておくことができる。
【００４１】
図３は，本実施の形態１による情報記憶部の構成例を示す図である。
【００４２】
情報記憶部２００は，機器・コンセント対応情報記憶部２０１，計測結果情報記憶部２０２，稼動状況情報記憶部２０３，外部接続機器消費電力情報記憶部２０４，電池利用機器消費電力情報記憶部２０５，電池容量情報記憶部２０６，定数管理情報記憶部２０７，変数管理情報記憶部２０８，計測外消費電力量推定結果記憶部２０９を備える。
【００４３】
機器・コンセント対応情報記憶部２０１は，消費電力の計測対象の電気機器と，該電気機器と電源接続されるコンセントとの対応が記録された機器・コンセント対応情報を記憶する記憶部である。
【００４４】
図４は，本実施の形態による機器・コンセント対応情報記憶部に格納されるデータの構成例を示す図である。
【００４５】
図４に示す機器・コンセント対応データ２５１は，機器・コンセント対応情報記憶部２０１に記憶された機器・コンセント対応情報の一例である。図４に示す機器・コンセント対応データ２５１は，機器ＩＤ，コンセントＩＤ等の情報を持つ。機器ＩＤは，消費電力の計測対象の電気機器を一意に識別する識別情報である。コンセントＩＤは，コンセントを一意に識別する識別情報である。
【００４６】
なお，本実施の形態では，コンセントＩＤが割り当てられているコンセントには，電気機器に供給された電力を計測する電力測定部４０が設置されているものとする。すなわち，本実施の形態では，コンセントＩＤは，コンセントに設置された電力測定部４０の識別情報となる。
【００４７】
計測結果情報記憶部２０２は，電力測定部４０による電力の計測結果が記録された計測結果情報を記憶する記憶部である。
【００４８】
図５は，本実施の形態による計測結果情報記憶部に格納されるデータの構成例を示す図である。
【００４９】
図５に示す計測結果データ２５２は，計測結果情報記憶部２０２に記憶された計測結果情報の一例である。特に，図５に示す計測結果データ２５２は，機器ＩＤが“Ｅ００１”の電気機器についての計測結果情報の例である。図５に示す計測結果データ２５２は，計測時刻，計測電力等の情報を持つ。計測時刻は，電力測定部４０によりコンセントで消費された電力が計測された時刻である。計測電力は，電力測定部４０による電力の測定結果である。
【００５０】
電力取得部１１０は，電力測定部４０による電力の測定結果を計測結果情報に記録する際に，機器・コンセント対応情報を参照し，電気機器と，その電気機器が対応付けられた電力測定部４０による電力の計測結果とを対応付ける。
【００５１】
稼動状況情報記憶部２０３は，電気機器の稼動状況が記録された稼動状況情報を記憶する記憶部である。
【００５２】
図６は，本実施の形態による稼動状況情報記憶部に格納されるデータの構成例を示す図である。
【００５３】
図６に示す稼動状況データ２５３は，稼動状況情報記憶部２０３に記憶された稼動状況情報の一例である。特に，図６に示す稼動状況データ２５３は，機器ＩＤが“Ｅ００１”の電気機器についての稼動状況情報の例である。図６に示す稼動状況データ２５３は，時刻，機器稼動状況等の情報を持つ。時刻は，電気機器の稼動状況が得られた時刻である。機器稼動状況は，電気機器の稼動状況である。
【００５４】
稼動状況取得部１１１，目的とする電気機器の機器ＩＤでアウェアネスサーバ７０にアクセスし，アウェアネス情報記憶部７１に記憶されたアウェアネス情報から，目的とする電気機器の稼動状況を取得する。
【００５５】
図７は，本実施の形態によるアウェアネス情報記憶部に格納されるデータの構成例を示す図である。
【００５６】
図７に示す機器状態管理データ７５は，アウェアネス情報記憶部７１に記憶されたアウェアネス情報の一例である。図７に示す機器状態管理データ７５は，機器ＩＤ，稼動状況等の情報を持つ。機器ＩＤは，電気機器を一意に識別する識別情報である。稼動状況は，電気機器の稼動状況である。稼動している電気機器の稼動状況は，“稼動中”となり，稼動していない電気機器の稼動状況は，“稼動停止”となる。
【００５７】
外部接続機器消費電力情報記憶部２０４は，外部接続機器消費電力が記録された外部接続機器消費電力情報を記憶する記憶部である。外部接続機器消費電力は，電気機器が外部電源に接続されて使用されている際に，電気機器の稼動によって消費される電力を示す。例えば，内部にバッテリを有する情報機器３０が稼動状態でコンセントに電源接続されている場合に，そのコンセントの電力測定部４０による電力の計測結果には，外部接続機器消費電力以外に，情報機器３０が内蔵するバッテリへの充電で消費される電力が含まれる。
【００５８】
図８は，本実施の形態による外部接続機器消費電力情報記憶部に格納されるデータの構成例を示す図である。
【００５９】
図８に示す外部接続機器消費電力データ２５４は，外部接続機器消費電力情報記憶部２０４に記憶された外部接続機器消費電力情報のデータ構造の一例である。図８に示す外部接続機器消費電力データ２５４は，機器ＩＤ，外部接続機器消費電力等の情報を持つ。機器ＩＤは，電気機器を一意に識別する識別情報である。外部接続機器消費電力は，設定された電気機器の外部接続機器消費電力を示す。外部接続機器消費電力データ２５４に記録される外部接続機器消費電力は，例えば，情報機器３０のカタログに記載された定格消費電力などである。
【００６０】
電池利用機器消費電力情報記憶部２０５は，電池利用機器消費電力が記録された電池利用機器消費電力情報を記憶する記憶部である。電池利用機器消費電力は，電気機器が内部に有する電池を利用して稼動する際に消費される電力である。例えば，情報機器３０は，内部のバッテリに蓄電された電力を利用して稼動する際には，ディスプレイの明るさを落とすなど，電力の消費を抑えて稼動を行う。そのため，本実施の形態による電池利用機器消費電力は，外部接続機器消費電力より小さい値となる。
【００６１】
図９は，本実施の形態による電池利用機器消費電力情報記憶部に格納されるデータの構成例を示す図である。
【００６２】
図９に示す電池利用機器消費電力データ２５５は，電池利用機器消費電力情報記憶部２０５に記憶された電池利用機器消費電力情報のデータ構造の一例である。図９に示す電池利用機器消費電力データ２５５は，機器ＩＤ，電池利用機器消費電力等の情報を持つ。機器ＩＤは，電気機器を一意に識別する識別情報である。電池利用機器消費電力は，設定された電気機器の電池利用機器消費電力を示す。電池利用機器消費電力データ２５５に記録される電池利用機器消費電力は，例えば，情報機器３０のカタログに記載されたバッテリ利用時の定格消費電力などである。
【００６３】
電池容量情報記憶部２０６は，電気機器が有する電池の容量が記録された電池容量情報を記憶する記憶部である。
【００６４】
図１０は，本実施の形態による電池容量情報記憶部に格納されるデータの構成例を示す図である。
【００６５】
図１０に示す電池容量データ２５６は，電池容量情報記憶部２０６に記憶された電池容量情報のデータ構造の一例である。図１０に示す電池容量データ２５６は，機器ＩＤ，電池容量，設定日時の情報を持つ。機器ＩＤは，電気機器を一意に識別する識別情報である。電池容量は，設定された電気機器の電池容量を示す。電池容量データ２５６に記録される電池容量は，例えば，情報機器３０のカタログに記載されたバッテリの電池容量などである。設定日時は，電池容量の設定日時である。電池容量の設定が更新される場合には，設定日時は，最新の更新日時となる。
【００６６】
定数管理情報記憶部２０７は，計測外消費電力量推定部１０１による処理で使用する定数が記録された定数管理情報を記憶する記憶部である。
【００６７】
図１１は，本実施の形態による定数管理情報記憶部に格納されるデータの構成例を示す図である。
【００６８】
図１１に示す定数管理データ２５７は，定数管理情報記憶部２０７に記憶された定数管理情報の一例である。図１１に示す定数管理データ２５７は，定数名，値等の情報を持つ。定数名は，設定された定数の名称である。値は，設定された定数の値である。
【００６９】
図１１に示す定数管理データ２５７において，測定間隔は，電力取得部１１０が電力測定部４０から電力の測定結果を取得する時間間隔である。
【００７０】
図１１に示す定数管理データ２５７において，電源接続有無判定電力と電源接続有無判定時間とは，電力測定部４０による電力の計測結果が電気機器による消費電力の計測結果であるか否かの判定に用いる閾値である。
【００７１】
図１１に示す定数管理データ２５７において，満充電判定電力は，電気機器が有する電池が満充電の状態であるか否かを判定する閾値である。
【００７２】
変数管理情報記憶部２０８は，計測外消費電力量推定部１０１による処理の過程で変化する変数を記録する変数管理情報を記憶する記憶部である。
【００７３】
図１２は，本実施の形態による変数管理情報記憶部に格納されるデータの構成例を示す図である。
【００７４】
図１２に示す変数管理データ２５８は，変数管理情報記憶部２０８に記憶された変数管理情報の一例である。図１２に示す変数管理データ２５８は，変数名，値等の情報を持つ。変数名は，計測外消費電力量推定部１０１による処理の過程で，随時値が更新される変数の名称である。値は，随時更新される変数の値である。
【００７５】
図１２に示す変数管理データ２５８において，計測外稼動期間は，計測外消費電力量を推定する対象の計測外時間帯において，電気機器が稼動している期間を示す変数である。
【００７６】
図１２に示す変数管理データ２５８において，充電量は，計測時間帯において，電気機器が有する電池に充電された電力量を示す変数である。
【００７７】
図１２に示す変数管理データ２５８において，充電時間は，計測時間帯において，電気機器が有する電池への充電が行われた時間量を示す変数である。なお，充電時間は，後述の実施の形態２で使用する変数である。
【００７８】
図１２に示す変数管理データ２５８において，満充電フラグは，電気機器が有する電池が満充電の状態であるか否かを示すフラグである。
【００７９】
図１２に示す変数管理データ２５８において，プラグアウト蓄電量は，計測外消費電力量を推定する対象の計測外時間帯の開始時に，電気機器が有する電池に蓄電されている電力量の推定結果を示す。プラグアウト蓄電量は，計測外消費電力量を推定する対象の計測外時間帯直前の計測時間帯の終了時に，電気機器が有する電池に蓄電されている電力量の推定結果であるとも言える。
【００８０】
図１２に示す変数管理データ２５８において，プラグイン蓄電量は，計測外消費電力量を推定する対象の計測外時間帯の終了時に，電気機器が有する電池に蓄電されている電力量の推定結果を示す。プラグイン蓄電量は，計測外消費電力量を推定する対象の計測外時間帯直後の計測時間帯の開始時に，電気機器が有する電池に蓄電されている電力量の推定結果であるとも言える。
【００８１】
図１２に示す変数管理データ２５８において，蓄電量差は，計測外時間帯の開始時のプラグアウト蓄電量と，計測外時間帯の終了時のプラグイン蓄電量との差分を示す変数である。
【００８２】
図１２に示す変数管理データ２５８において，充電消費電力は，バッテリへの充電で消費される電力を示す変数である。なお，充電消費電力は，後述の実施の形態２で使用する変数である。
【００８３】
計測外消費電力量推定結果記憶部２０９は，推定された計測外消費電力量を記憶する記憶部である。
【００８４】
上述の消費電力量算出機構（図示省略）は，電気機器の消費電力量の算出を行う際に，計測外時間帯については，計測外消費電力量推定結果記憶部２０９に記憶された計測外消費電力量を用いる。
【００８５】
図１３は，情報機器の稼動状況と電力測定部による電力の計測結果との関係を説明する図である。
【００８６】
図１３において，上図と下図とは，それぞれ，同日における，消費電力の計測対象である情報機器３０の稼動状況と，その情報機器３０の電源接続に割り当てられた特定のコンセントに設置された電力測定部４０による電力の計測結果を示す。
【００８７】
図１３の上図において，ハッチングで示された時間帯は，情報機器３０が稼動中の時間帯である。
【００８８】
図１３の下図において，太実線が情報機器３０の電源接続に割り当てられた特定のコンセントに設置された電力測定部４０による電力の計測結果のグラフを示している。なお，実際の消費電力は，凹凸がある歪なグラフとなるが，図１３の下図に示す例では，消費電力のグラフが，実際にグラフを近似した滑らかな直線と曲線とで表現されている。
【００８９】
図１３の下図において，“ｉｎ”は，情報機器３０のプラグが特定のコンセントに差し込まれた時刻を示し，“ｏｕｔ”は，情報機器３０のプラグが特定のコンセントから引き抜かれた時刻を示している。以下では，情報機器３０のプラグがコンセントに差し込まれることをプラグインと呼び，情報機器３０のプラグがコンセントから引き抜かれることをプラグアウトと呼ぶ。
【００９０】
図１３に示す例において，情報機器３０の利用者は，原則として，オフィスの自席における特定のコンセントに，情報機器３０の電源接続を行うことになっている。
【００９１】
例えば，利用者は，８：３０にオフィスに出勤すると，情報機器３０を特定のコンセントにプラグインし，情報機器３０の電源をＯＮする。図１３に示すように，情報機器３０の稼動状況が“稼動中”となり，特定のコンセントに設置された電力測定部４０による計測結果で，情報機器３０による電力の消費が計測される。
【００９２】
その後，利用者は，１２：００から休憩に入るため，情報機器３０の電源をＯＦＦにし，情報機器３０を特定のコンセントからプラグアウトする。図１３に示すように，情報機器３０の稼動状況が“稼動停止”となり，特定のコンセントに設置された電力測定部４０による計測結果で，情報機器３０による電力の消費が計測されなくなる。
【００９３】
休憩が終わると，利用者は，会議室で行われる会議に出席する。利用者は，情報機器３０を会議室に持ち込み，会議室のコンセントに情報機器３０をプラグインし，情報機器３０の電源をＯＮする。図１３の上図に示すように，情報機器の稼動状況が“稼動中”となる。図１３の下図において，太破線は，会議室のコンセントで情報機器３０が消費した電力の変遷を示す。しかし，会議室のコンセントには，電力測定部４０が設置されていないので，情報機器３０の消費電力は計測されない。
【００９４】
会議室では，利用者は，情報機器３０を稼動中のまま，１５：００にコンセントから情報機器３０をプラグアウトする。その後，１５：３０に，利用者は，情報機器３０の電源をＯＦＦにする。図１３に示すように，情報機器３０の稼動状況が“稼動停止”となる。コンセントに電源接続されていない１５：００〜１５：３０の間，情報機器３０は，内蔵されたバッテリの蓄電電力を利用して稼動している状態である。
【００９５】
利用者は，１６：３０に会議室から自席に戻ると，再び情報機器３０を特定のコンセントにプラグインし，情報機器３０の電源をＯＮする。図１３に示すように，情報機器３０の稼動状況が“稼動中”となり，特定のコンセントに設置された電力測定部４０による計測結果で，情報機器３０による電力の消費が計測される。
【００９６】
利用者は，１９：３０に情報機器３０の電源をＯＦＦにし，情報機器３０を特定のコンセントからプラグアウトして，オフィスから退勤する。
【００９７】
図１３に示す例において，８：３０〜１２：００の時間帯と，１６：３０〜１９：３０の時間帯は，電力測定部４０によって，情報機器３０による電力の消費が計測された時間帯である。本実施の形態では，電力測定部４０によって情報機器３０による電力の消費が計測される時間帯を，計測時間帯と呼ぶ。
【００９８】
これに対して，図１３に示す例において，１２：００〜１６：３０の時間帯は，電力測定部４０によって，情報機器３０による電力の消費が計測されなかった時間帯である。本実施の形態では，電力測定部４０によって情報機器３０による電力の消費が計測されない時間帯を，計測外時間帯と呼ぶ。
【００９９】
また，本実施の形態では，計測外時間帯において，情報機器３０が稼動している期間を計測外稼動期間と呼ぶ。図１３に示す例では，１２：００〜１６：３０の計測外時間帯において，１３：３０〜１５：３０の時間帯で情報機器３０が稼動している。１３：３０〜１５：３０の時間間隔，すなわち２時間が，計測外稼動期間となる。なお，計測外時間帯において，複数の情報機器３０の稼動時間帯がある場合には，それら複数の累積時間が計測外稼動期間となる。
【０１００】
図１３に示すように，計測時間帯については，電力測定部４０が設置されたコンセントで情報機器３０の消費電力が計測できるので，情報機器３０の消費電力量を求めることができる。しかし，計測外時間帯における情報機器３０の消費電力量が含まれていないため，計測時間帯における情報機器３０の消費電力のみから情報機器３０の消費電力量を求めても，得られた情報機器３０の消費電力量の精度は低くなってしまう。
【０１０１】
このような問題の対処法としては，例えば，計測外時間帯で情報機器３０が稼動している計測外稼動期間について，その情報機器３０の定格消費電力に相当する電力が消費されているものとして消費電力量を算出する方法が考えられる。しかし，この方法では，計測外時間帯における情報機器３０の稼動で，外部電源を利用せずに，計測時間帯に充電されたバッテリの蓄電電力を利用している場合に，消費電力量を二重に計算してしまうという問題がある。バッテリに充電された電力量については，すでに計測時間帯に計測された消費電力から算出される消費電力量に含まれている。
【０１０２】
本実施の形態による管理装置１０の計測外消費電力量推定部１０１は，計測外時間帯における情報機器３０の利用状況を考慮することで，計測外時間帯に情報機器３０が外部電源から消費した電力量すなわち計測外消費電力量の推定を，高精度で行う。
【０１０３】
計測外消費電力量推定部１０１は，計測外時間帯における情報機器３０の推定に，該計測外時間帯前後の計測時間帯における情報機器３０の蓄電状況を用いる。
【０１０４】
図１４は，計測外時間帯開始時のバッテリの状況と計測外時間帯終了時のバッテリの状況とを説明する図である。
【０１０５】
例えば，図１３に示す例において，１２：００〜１６：３０の計測外時間帯について，計測外消費電力量を推定する。
【０１０６】
計測外時間帯の開始時刻１２：００は，情報機器３０が特定のコンセントからプラグアウトされた時刻である。図１４の左図は，この計測外時間帯の開始時，すなわち特定のコンセントからのプラグアウト時の情報機器３０が有するバッテリの蓄電状況を示している。上述したように，本実施の形態では，計測外時間帯の開始時すなわち計測時間帯の終了時のバッテリの蓄電量を，プラグアウト蓄電量と呼ぶ。
【０１０７】
計測外時間帯の終了時刻１６：３０は，情報機器３０が特定のコンセントにプラグインされた時刻である。図１４の右図は，この計測外時間帯の終了時，すなわち特定のコンセントへのプラグイン時の情報機器３０が有するバッテリの蓄電状況を示している。上述したように，本実施の形態では，計測外時間帯の終了時すなわち計測時間帯の開始時のバッテリの蓄電量を，プラグイン蓄電量と呼ぶ。
【０１０８】
ここでは，図１４に示すように，プラグアウト時のバッテリは，満充電の状態であるものとする。すなわち，図１４に示すように，太枠で示されるバッテリの電池容量が，プラグアウト蓄電量となる。これに対して，プラグイン蓄電量は，図１４に示すように，バッテリの電池容量から減った状況となっている。
【０１０９】
図１４に示すように，計測外時間帯の開始時から終了時までの間にバッテリの蓄電量が減っている場合には，バッテリの自然放電が微小であると仮定すれば，計測外稼動期間中に，情報機器３０がバッテリの蓄電電力を利用して稼動する期間が含まれると推定される。このとき，本実施の形態１では，計測外消費電力量推定部１０１は，プラグアウト蓄電量とプラグイン蓄電量との蓄電量差から，情報機器３０がバッテリの蓄電電力を利用して稼動する期間を推定する。
【０１１０】
計測外稼動期間において，情報機器３０がバッテリの蓄電電力を利用して稼動すると推定された期間以外の期間が，情報機器３０が外部電源に接続されて使用された期間であると推定される。このとき，計測外消費電力量推定部１０１は，情報機器３０が外部電源に接続されて使用されたと推定された期間における情報機器３０の稼動による消費電力量を算出し，該当計測外時間帯における計測外消費電力量の推定結果とする。
【０１１１】
図１４に示す例とは逆に，計測外時間帯の開始時から終了時までの間にバッテリの蓄電量が増えている場合には，計測外稼動期間に情報機器３０が外部電源に接続されて使用されたために，バッテリに充電されたものと推定される。プラグアウト蓄電量とプラグイン蓄電量との蓄電量差が，バッテリに対する充電量である。このとき，本実施の形態１では，計測外消費電力量推定部１０１は，計測外稼動期間における情報機器３０の稼動による消費電力量と，プラグアウト蓄電量とプラグイン蓄電量との蓄電量差とを合わせて，該当計測外時間帯における計測外消費電力量の推定結果とする。
【０１１２】
このように，本実施の形態１による計測外消費電力量推定部１０１は，計測外時間帯前後のプラグアウト蓄電量とプラグイン蓄電量との関係から，計測外消費電力量を推定している。プラグアウト蓄電量とプラグイン蓄電量は，計測時間帯におけるバッテリの充電量から推定できる。
【０１１３】
図１５は，外部電源接続時の情報機器の消費電力とバッテリの蓄電量との関係を説明する図である。
【０１１４】
一般に，モバイル機器などの情報機器３０に搭載されるリチウムイオン電池への充電は，電池の出力電圧が一定値になるまでは一定の電流で，それ以降は一定の電圧で行うように，情報機器３０の内部で制御される。このような充電方式は，定電流定電圧充電方式と呼ばれる。
【０１１５】
図１５（Ａ）は，外部電源に接続された情報機器３０による消費電力と，情報機器３０のバッテリの蓄電量との例を示す。図１５（Ａ）において，太実線は情報機器３０による消費電力のグラフであり，太破線は，バッテリの蓄電量のグラフである。図１５（Ａ）に示す例では，情報機器３０のプラグイン時におけるバッテリの蓄電量が０であるものとする。また，バッテリへの充電は，定電流定電圧充電方式により行われるものとする。
【０１１６】
なお，実際の消費電力のグラフや蓄電量のグラフは，凹凸がある歪なグラフとなるが，図１５に示す例では，消費電力のグラフや蓄電量のグラフが，実際にグラフを近似した滑らかな直線と曲線とで表現されている。
【０１１７】
図１５（Ａ）に示すように，情報機器３０による消費電力は，プラグイン時から降下開始点までは，一定の電力となる。この間，バッテリの蓄電量は，図１５（Ａ）に示すように，直線的に増加する。
【０１１８】
降下開始点以降は，図１５（Ａ）に示すように，情報機器３０による消費電力は減少し，水平安定点まで減少量を減らしながら特定の値に漸近する。この間，バッテリの蓄電量は，図１５（Ａ）に示すように，増加量を減らしながら電池容量に漸近する。
【０１１９】
図１５（Ａ）に示すように，水平安定点において，情報機器３０による消費電力は，特定の値に収束し，以後プラグアウト時までその値が維持される。また，図１５（Ａ）に示すように，バッテリの蓄電量は水平安定点で電池容量に達し，バッテリは満充電の状態となる。
【０１２０】
図１５（Ａ）において，水平安定点以降はバッテリが満充電の状態であるので，水平安定点からプラグアウトまでの特定の消費電力の値が，外部電源接続時の情報機器３０の稼動による消費電力，すなわち外部接続機器消費電力となる。
【０１２１】
図１５（Ｂ）は，外部電源接続時の消費電力量における外部接続機器消費電力量と充電量との関係を示す。図１５（Ｂ）の太実線は，図１５（Ａ）に示す情報機器３０による消費電力のグラフである。
【０１２２】
図１５（Ａ）において，情報機器３０の消費電力をプラグイン時からプラグアウト時まですべて加算した値が，外部電源から情報機器３０に供給された電力量，すなわち情報機器３０による消費電力量となる。
【０１２３】
図１５（Ａ）において，水平安定点以降の情報機器３０の消費電力は，外部接続機器消費電力である。よって，情報機器３０の消費電力量を，外部電源接続時の情報機器３０の稼動による消費電力量，すなわち外部接続機器消費電力量と，バッテリの充電量とに分けると，図１５（Ｂ）に示す通りとなる。
【０１２４】
図１５（Ｂ）に示すように，情報機器３０の外部接続機器消費電力をプラグイン時からプラグアウト時まですべて加算した値が，外部接続機器消費電力量となる。また，情報機器３０の消費電力から外部接続機器消費電力を引いた値が，バッテリへの充電電力となる。すなわち，図１５（Ｂ）に示すように，情報機器３０の消費電力から外部接続機器消費電力を引いた値をプラグイン時からプラグアウト時まですべて加算した値が，バッテリの充電量となる。
【０１２５】
このように，情報機器３０による消費電力，すなわち外部電源から情報機器３０に供給された電力と，情報機器３０の外部接続機器消費電力とから，プラグイン時からプラグアウト時までのバッテリの充電量を推定できる。
【０１２６】
図１６は，計測時間帯におけるバッテリの充電量とプラグアウト蓄電量，プラグイン蓄電量との関係を示す図である。
【０１２７】
図１６（Ａ）は，情報機器３０の特定の電源からのプラグアウト時に，バッテリが満充電であると推定される場合の，プラグアウト蓄電量の例を示す。図１６（Ａ）に示すように，プラグアウト時にバッテリが満充電であると推定される場合には，プラグアウト蓄電量は，充電開始時のプラグイン蓄電量に関係なく，バッテリの電池容量であると推定できる。
【０１２８】
図１６（Ｂ）は，情報機器３０の特定の電源からのプラグアウト時に，バッテリが満充電でないと推定される場合の，プラグアウト蓄電量の例を示す。図１６（Ｂ）に示すように，プラグアウト時にバッテリが満充電でないと推定される場合には，プラグアウト蓄電量は，充電開始時のプラグイン蓄電量によって変わる。
【０１２９】
図１６（Ｂ）に示すように，プラグイン蓄電量は，０〜電池容量−充電量の間のいずれかの値であることが推定される。このことから，プラグアウト蓄電量は，充電量〜電池容量までのいずれかの値であると推定できる。
【０１３０】
本実施の形態１の計測外消費電力量推定部１０１は，バッテリが満充電でないと推定される場合において，プラグアウト蓄電量を，電池容量−充電量と電池容量との中間値であると推定する。このとき，推定されるプラグアウト蓄電量は，
プラグアウト蓄電量＝電池容量／２＋充電量／２
となる。
【０１３１】
なお，バッテリが満充電でないと推定される場合において，情報機器３０の利用者ごとの特徴に応じて，プラグアウト蓄電量の推定結果を変えるようにしてもよい。例えば，プラグアウト蓄電量を推定する式を，
プラグアウト蓄電量＝電池容量×ａ＋充電量×ｂ，ａ＋ｂ＝１
とする。外部電源の利用が多く，バッテリの充電を怠らない利用者の情報機器３０については，ａの値を大きく設定し，バッテリの利用が多い利用者の情報機器３０については，ｂの値を大きく設定するようにすれば，利用者ごとの特徴に応じたプラグアウト蓄電量の推定も可能である。このように，バッテリが満充電でないと推定される場合におけるプラグアウト蓄電量の推定に関する設計は，任意である。
【０１３２】
図１６（Ｃ）は，バッテリが満充電であると推定される場合の，プラグイン蓄電量の例を示す。図１６（Ｃ）に示すように，バッテリが満充電であると推定される場合には，充電開始時のプラグイン蓄電量は，バッテリの電池容量から充電量を差し引いた値であると推定できる。
【０１３３】
図１６（Ｄ）は，バッテリが満充電でないと推定される場合の，プラグイン蓄電量の例を示す。図１６（Ｄ）に示すように，バッテリが満充電でないと推定される場合には，プラグイン蓄電量は，充電量によって変わる。図１６（Ｄ）に示すように，プラグイン蓄電量は，０〜電池容量−充電量の間のいずれかの値であると推定できる。
【０１３４】
本実施の形態１の計測外消費電力量推定部１０１は，バッテリが満充電でないと推定される場合において，プラグイン蓄電量を，電池容量−充電量の中間値であると推定する。このとき，推定されるプラグイン蓄電量は，
プラグイン蓄電量＝（電池容量−充電量）／２
となる。
【０１３５】
なお，バッテリが満充電でないと推定される場合において，情報機器３０の利用者ごとの特徴に応じて，プラグイン蓄電量の推定結果を変えるようにしてもよい。例えば，プラグイン蓄電量を推定する式を，
プラグイン蓄電量＝（電池容量−充電量）×ｃ，０≦ｃ≦１
とする。外部電源の利用が多く，バッテリの充電を怠らない利用者の情報機器３０については，ｃの値を大きく設定し，バッテリの利用が多い利用者の情報機器３０については，ｃの値を小さく設定するようにすれば，利用者ごとの特徴に応じたプラグイン蓄電量の推定も可能である。このように，バッテリが満充電でないと推定される場合におけるプラグイン蓄電量の推定に関する設計は，任意である。
【０１３６】
以下，本実施の形態１の計測外消費電力量推定部１０１による計測外消費電力量推定全体処理の流れの例を説明する。
【０１３７】
図１７，図１８は，本実施の形態１による計測外消費電力量推定部による計測外消費電力量推定全体処理フローチャートである。
【０１３８】
図１７，図１８に示す計測外消費電力量推定全体処理フローチャートにおいて，図１７に示すフローチャートは，主に計測外時間帯における処理のフローチャートであり，図１８に示すフローチャートは，主に計測時間帯における処理のフローチャートである。
【０１３９】
なお，図１７，図１８に示す計測外消費電力量推定全体処理フローチャートは，ある１台の消費電力の計測対象である情報機器３０について，リアルタイムに実行される処理のフローチャートである。計測外消費電力量推定部１０１は，図１７，図１８に示す計測外消費電力量推定全体処理を，消費電力の計測対象である電力機器のすべてについて，それぞれ実行する。
【０１４０】
また，図１７，図１８のフローチャートで使用される各定数については，特に記載がなければ，定数管理情報記憶部２０７に記憶された定数管理情報で管理された定数である。同様に，図１７，図１８のフローチャートで使用される各変数については，特に記載がなければ，変数管理情報記憶部２０８に記憶された変数管理情報で管理された変数である。このことは，図１７，図１８以外のフローチャートでも同様であるものとする。
【０１４１】
また，実際の電力の測定結果には，ノイズが含まれている。そのため，一定の時間幅で電力の計測結果の平均をとるなどの処理が，一般に行われている。図１７，図１８に示すフローチャートでも特に言及されていないが，一定の時間幅で電力の計測結果の平均をとるなどの処理は，適宜実行されているものとする。このことは，図１７，図１８以外のフローチャートでも同様であるものとする。
【０１４２】
計測外消費電力量推定部１０１は，起動時に，計測外稼動期間を０に初期化する（ステップＳ１０）。
【０１４３】
計測外消費電力量推定部１０１は，所定の測定間隔だけウェイトする（ステップＳ１１）。
【０１４４】
電力取得部１１０は，計測電力を取得する（ステップＳ１２）。計測電力は，情報機器３０に対応する電力測定部４０による電力の計測結果である。取得された計測電力は，計測結果情報記憶部２０２に記憶される。
【０１４５】
計測外消費電力量推定部１０１は，取得された計測電力が，所定の電源接続有無判定電力Ｗ1 以上であるかを判定する（ステップＳ１３）。取得された計測電力が所定の電源接続有無判定Ｗ1 以上でない場合には（ステップＳ１３のＮＯ），計測外消費電力量推定部１０１は，ステップＳ１５の処理に進む。
【０１４６】
取得された計測電力が所定の電源接続有無判定Ｗ1 以上である場合には（ステップＳ１３のＹＥＳ），計測外消費電力量推定部１０１は，さらに電源接続有無判定電力Ｗ1 以上の計測電力が，所定の電源接続有無判定時間以上続いたかを判定する（ステップＳ１４）。電源接続有無判定電力Ｗ1 以上の計測電力が所定の電源接続有無判定時間以上続かなかった場合には（ステップＳ１４のＮＯ），計測外消費電力量推定部１０１は，ステップＳ１５の処理に進む。
【０１４７】
稼動状況取得部１１１は，アウェアネスサーバ７０から，情報機器３０の稼動状況を取得する（ステップＳ１５）。取得された稼動状況は，稼動状況情報記憶部２０３に記憶される。計測外稼動期間特定部１１２は，情報機器３０が稼動中であるかを判定する（ステップＳ１６）。情報機器３０が稼動中であれば（ステップＳ１６のＹＥＳ），計測外稼動期間特定部１１２は，計測外稼動期間に測定間隔を加算する（ステップＳ１７）。計測外消費電力量推定部１０１は，ステップＳ１１の処理に戻る。
【０１４８】
電源接続有無判定電力Ｗ1 以上の計測電力が所定の電源接続有無判定時間以上続いた場合には（ステップＳ１４のＹＥＳ），計測外消費電力量推定部１０１は，図１８のステップＳ１８の処理に進む。
【０１４９】
ステップＳ１３とステップＳ１４の判定は，計測外時間帯から計測時間帯への移行の判定である。情報機器３０が特定のコンセントに電源接続されていないときでも，ノイズにより，そのコンセントに設置された電力測定部４０による電力の計測結果は，必ずしも０とはならない。本実施の形態１において，計測外消費電力量推定部１０１は，設定された電源接続有無判定電力Ｗ1 以上の電力の計測結果が，設定された電源接続有無判定時間以上続いたときに，電力の計測結果で情報機器３０による電力の消費が計測されていると判定する。
【０１５０】
蓄電状況推定部１１３は，満充電フラグが１であるかを判定する（ステップＳ１８）。満充電フラグが１である場合には（ステップＳ１８のＹＥＳ），蓄電状況推定部１１３は，プラグアウト蓄電量をバッテリの電池容量とする（ステップＳ１９）。満充電フラグが１でない場合には（ステップＳ１８のＮＯ），蓄電状況推定部１１３は，プラグアウト蓄電量をバッテリの電池容量と充電量との中間値とする（ステップＳ２０）。バッテリの電池容量は，電池容量情報記憶部２０６に記憶されている。ステップＳ１８〜ステップＳ２０の処理は，前の計測時間帯におけるプラグアウト蓄電量を推定する処理である。
【０１５１】
蓄電状況推定部１１３は，各変数を初期化する（ステップＳ２１）。本実施の形態１のステップＳ２１では，充電量が０に初期化され，満充電フラグが０に初期化される。
【０１５２】
蓄電状況推定部１１３は，充電処理を行う（ステップＳ２２）。充電処理は，計測時間帯における情報機器３０のバッテリへの充電量を求める処理である。充電処理については，後述する。
【０１５３】
計測外消費電力量推定部１０１は，所定の測定間隔だけウェイトする（ステップＳ２３）。
【０１５４】
電力取得部１１０は，計測電力を取得する（ステップＳ２４）。取得された計測電力は，計測結果情報記憶部２０２に記憶される。
【０１５５】
計測外消費電力量推定部１０１は，取得された計測電力が，所定の電源接続有無判定電力Ｗ1 以下であるかを判定する（ステップＳ２５）。
【０１５６】
取得された計測電力が所定の電源接続有無判定Ｗ1 以下でない場合には（ステップＳ２５のＮＯ），計測外消費電力量推定部１０１は，ステップＳ２２の処理に戻る。
【０１５７】
取得された計測電力が所定の電源接続有無判定Ｗ1 以下である場合には（ステップＳ２５のＹＥＳ），計測外消費電力量推定部１０１は，電源接続有無判定電力Ｗ1 以下の計測電力が，所定の電源接続有無判定時間以上続いたかを判定する（ステップＳ２６）。
【０１５８】
電源接続有無判定電力Ｗ1 以下の計測電力が所定の電源接続有無判定時間以上続かなかった場合には（ステップＳ２６のＮＯ），計測外消費電力量推定部１０１は，ステップＳ２３の処理に戻る。
【０１５９】
ステップＳ２５とステップＳ２６の判定は，計測時間帯から計測外時間帯への移行の判定である。情報機器３０が特定のコンセントに電源接続されているときでも，ノイズにより，そのコンセントに設置された電力測定部４０による電力の計測結果が，０に近い値となる可能性がある。本実施の形態１において，計測外消費電力量推定部１０１は，設定された電源接続有無判定電力Ｗ1 以下の電力の計測結果が，設定された電源接続有無判定時間以上続いたときに，計測結果で情報機器３０による電力の消費が計測されていないと判定する。
【０１６０】
電源接続有無判定電力Ｗ1 以下の計測電力が所定の電源接続有無判定時間以上続いた場合には（ステップＳ２６のＹＥＳ），計測外消費電力量推定部１０１は，計測外消費電力量推定処理を実行し（ステップＳ２７），図１７のステップＳ２８の処理に移る。計測外消費電力量推定処理は，計測外時間帯における情報機器３０による消費電力量を推定する処理である。計測外消費電力量推定処理については，後述する。
【０１６１】
計測外消費電力推定処理の実行後，計測外消費電力量推定部１０１は，計測外稼動期間を０に初期化し（ステップＳ２８），ステップＳ１５の処理に進む。
【０１６２】
図１９は，本実施の形態１の計測外消費電力量推定部による充電処理フローチャートである。
【０１６３】
稼動状況取得部１１１は，アウェアネスサーバ７０から，情報機器３０の稼動状況を取得する（ステップＳ３０）。取得された稼動状況は，稼動状況情報記憶部２０３に記憶された稼動状況情報に記録される。蓄電状況推定部１１３は，情報機器３０が稼動中であるかを判定する（ステップＳ３１）。
【０１６４】
情報機器３０が稼動中であれば（ステップＳ３１のＹＥＳ），蓄電状況推定部１１３は，取得された計測電力が，外部接続機器消費電力に所定の満充電判定電力Ｗ2 を加算した値以上であるかを判定する（ステップＳ３２）。外部接続機器消費電力は，外部接続機器消費電力情報記憶部２０４に記憶されている。計測電力が外部接続機器消費電力に所定の満充電判定電力Ｗ2 を加算した値以上であれば（ステップＳ３２のＹＥＳ），蓄電状況推定部１１３は，充電量に計測電力から外部接続機器消費電力を引いた値を加算する（ステップＳ３３）。計測電力が外部接続機器消費電力に所定の満充電判定電力Ｗ2 を加算した値以上でなければ（ステップＳ３２のＮＯ），蓄電状況推定部１１３は，満充電フラグを１に設定する（ステップＳ３４）。
【０１６５】
情報機器３０の稼動中にバッテリが満充電の状態に近づくと，計測電力は，外部接続機器消費電力の値に漸近する。ステップＳ３２の判定では，蓄電状況推定部１１３は，計測電力の値が外部接続機器消費電力の値に十分に漸近したかを判定している。
【０１６６】
情報機器３０が稼動中でなければ（ステップＳ３１のＮＯ），蓄電状況推定部１１３は，取得された計測電力が，所定の満充電判定電力Ｗ2 以上であるかを判定する（ステップＳ３５）。計測電力が所定の満充電判定電力Ｗ2 以上であれば（ステップＳ３５のＹＥＳ），蓄電状況推定部１１３は，充電量に計測電力を加算する（ステップＳ３６）。計測電力が所定の満充電判定電力Ｗ2 以上でなければ（ステップＳ３５のＮＯ），蓄電状況推定部１１３は，満充電フラグを１に設定する（ステップＳ３７）。
【０１６７】
情報機器３０が稼動中でないときに，電力測定部４０で情報機器３０による電力の消費が計測されれば，情報機器３０は非稼動で充電されている状態であると推定される。情報機器３０の非稼動充電中にバッテリが満充電の状態に近づくと，計測電力は，０の値に漸近する。ステップＳ３２の判定では，蓄電状況推定部１１３は，計測電力の値が０に十分に漸近したかを判定している。
【０１６８】
図２０は，本実施の形態１の計測外消費電力量推定部による計測外消費電力量推定処理フローチャートである。
【０１６９】
図２０のフローチャートに示す計測外消費電力量推定処理は，前の計測時間帯と今回の計測時間帯との間の計測外時間帯における情報機器３０の計測外消費電力量を推定する処理である。
【０１７０】
蓄電状況推定部１１３は，満充電フラグが１であるかを判定する（ステップＳ４０）。満充電フラグが１である場合には（ステップＳ４０のＹＥＳ），蓄電状況推定部１１３は，プラグイン蓄電量をバッテリの電池容量から充電量を引いた値とする（ステップＳ４１）。満充電フラグが１でない場合には（ステップＳ４０のＮＯ），蓄電状況推定部１１３は，プラグイン蓄電量をバッテリの電池容量から充電量を引いた値の半分とする（ステップＳ４２）。バッテリの電池容量は，電池容量情報記憶部２０６に記憶されている。ステップＳ４０〜ステップＳ４２の処理は，今回の計測時間帯におけるプラグイン蓄電量を推定する処理である。
【０１７１】
蓄電状況推定部１１３は，蓄電量差を算出する（ステップＳ４３）。ここでは，蓄電量差は，
蓄電量差＝プラグイン蓄電量−プラグアウト蓄電量
で算出されるものとする。この時点において，プラグイン蓄電量は，今回の計測時間帯におけるプラグイン蓄電量であり，プラグアウト蓄電量は，前の計測時間帯におけるプラグアウト蓄電量である。
【０１７２】
消費電力量推定部１１４は，計測外稼動期間が０であるかを判定する（ステップＳ４４）。
【０１７３】
計測外稼動期間が０でなければ（ステップＳ４４のＮＯ），消費電力量推定部１１４は，蓄電量差が正値であるかを判定する（ステップＳ４５）。
【０１７４】
蓄電量差が正値であれば（ステップＳ４５のＹＥＳ），消費電力量推定部１１４は，計測外消費電力量を次の式（１）で推定する（ステップＳ４６）。
【０１７５】
Ｅo ＝Ｐa ＊Ｔ＋Ｅd         ・・・（１）
式（１）において，Ｅo は計測外消費電力量，Ｅd は蓄電量差，Ｔは計測外稼動期間，Ｐa は外部接続機器消費電力である。ステップＳ４６の処理は，蓄電量差Ｅd が正値である場合の処理であるので，計測外稼動期間Ｔにおいて，外部電源から情報機器３０のバッテリに対して蓄電量差Ｅd 分の充電が行われたと推定される。ここでは，消費電力量推定部１１４は，計測外消費電力量Ｅo を，計測外稼動期間Ｔにおける外部接続機器消費電力量（Ｐa ＊Ｔ）と，蓄電量差Ｅd との加算値と推定する。
【０１７６】
蓄電量差が正値でなければ（ステップＳ４５のＮＯ），消費電力量推定部１１４は，計測外消費電力量を次の式（２）で推定する（ステップＳ４７）。
【０１７７】
Ｅo ＝Ｐa ＊（Ｔ＋Ｅd ＊Ｐa ／Ｐb ）        ・・・（２）
式（２）において，Ｅo は計測外消費電力量，Ｅd は蓄電量差，Ｔは計測外稼動期間，Ｐa は外部接続機器消費電力，Ｐb は電池利用機器消費電力である。ステップＳ４７の処理は，蓄電量差Ｅd が負値である場合の処理であるので，計測外稼動期間Ｔに，バッテリの蓄電電力を利用して情報機器３０が稼動された期間が含まれているものと推定される。ここでは，消費電力量推定部１１４は，計測外消費電力量Ｅo を，計測外稼動期間Ｔからバッテリの蓄電電力を利用したと推定される期間（−Ｅd ＊Ｐa ／Ｐb ）を差し引いた期間（Ｔ＋Ｅd ＊Ｐa ／Ｐb ）における外部接続機器消費電力量（Ｐa ＊（Ｔ＋Ｅd ＊Ｐa ／Ｐb ））と推定する。
【０１７８】
計測外稼動期間が０であれば（ステップＳ４４のＹＥＳ），消費電力量推定部１１４は，蓄電量差が正値であるかを判定する（ステップＳ４８）。
【０１７９】
蓄電量差が正値であれば（ステップＳ４８のＹＥＳ），消費電力量推定部１１４は，計測外消費電力量Ｅo が蓄電量差Ｅd であると推定する（ステップＳ４９）。ステップＳ４９の処理は，計測外時間帯において情報機器３０の稼動が確認されなかったときの，蓄電量差Ｅd が正値である場合の処理であるので，情報機器３０が非稼動の状態で，外部電源から情報機器３０のバッテリに対して蓄電量差Ｅd 分の充電が行われたと推定される。そのため，情報機器３０のバッテリに対して充電された電力量である蓄電量差Ｅd が，計測外消費電力量Ｅo であると推定される。
【０１８０】
蓄電量差が正値でなければ（ステップＳ４８のＮＯ），消費電力量推定部１１４は，計測外消費電力量Ｅ0 が０であると推定する（ステップＳ５０）。ステップＳ５０の処理は，計測外時間帯において情報機器３０の稼動が確認されなかったときの，蓄電量差Ｅd が負値である場合の処理である。このような状況が起こるケースとしては，例えば，バッテリの充電が行われないまま長期間に渡って情報機器３０が使用されなかったときに自然放電されるケースや，稼動状況を監視できない場所で情報機器３０を使用したケースなどが考えられる。この場合には，情報機器３０の計測外消費電力量Ｅo の推定は困難となる。この場合に，本実施の形態では，消費電力量推定部１１４は，計測外消費電力量Ｅo が０であると推定する。
【０１８１】
以上説明したように，本実施の形態１による計測外消費電力量推定部１０１は，計測外時間帯前後の計測時間帯におけるバッテリの蓄電状況から，計測外稼動期間における情報機器３０の利用状況を推定して，情報機器３０の計測外消費電力量を推定する。これにより，精度が高い情報機器３０の計測外消費電力量の推定が可能となる。
【０１８２】
〔実施の形態２〕
バッテリを内蔵する情報機器３０の使用ケースとしては，例えば，外部電源に接続した情報機器３０の使用を優先するケースや，内蔵するバッテリに蓄電された電力を利用した情報機器３０の使用を優先するケースなどがある。情報機器３０の利用者には，外部電源に接続した情報機器３０の使用を優先するケースが多い利用者もいれば，バッテリに蓄電された電力を利用した情報機器３０の使用を優先するケースが多い利用者もいる。また，情報機器３０の使用環境には，外部電源に接続した情報機器３０の使用を優先するケースが多い環境もあれば，バッテリに蓄電された電力を利用した情報機器３０の使用を優先するケースが多い環境もある。
【０１８３】
本実施の形態２では，利用者や使用環境ごとの情報機器３０の使用ケースを考慮して，より詳細に情報機器３０の計測外消費電力量を推定する例を説明する。なお，前述の実施の形態１の例では，外部電源に接続した情報機器３０の使用を優先しているものとして，情報機器３０の計測外消費電力量の推定が行われている。
【０１８４】
図２１は，本実施の形態２による電力センシングシステムの構成例を示す図である。
【０１８５】
図２１に示す電力センシングシステムの構成は，図１に示す電力センシングシステムの構成とほとんど同じ構成であり，計測外消費電力量推定部１０２のみが異なる。ここでは，計測外消費電力量推定部１０２以外の構成については，説明を省略する。
【０１８６】
計測外消費電力量推定部１０２は，図１に示す計測外消費電力量推定部１０１と同様に，電力取得部１１０，稼動状況取得部１１１，計測外稼動期間特定部１１２，蓄電状況推定部１１３，消費電力量推定部１１４，情報記憶部２００を備える。
【０１８７】
計測外消費電力量推定部１０２の情報記憶部２００は，図３に示す情報記憶部２００の構成に加えて，さらに利用ポリシ情報記憶部２１０を備える。利用ポリシ情報記憶部２１０は，利用ポリシが記録された利用ポリシ情報を記憶する。利用ポリシは，外部電源に接続した電気機器の使用と，バッテリの蓄電電力を利用した電気機器の使用との度合いを示す情報である。
【０１８８】
計測外消費電力量推定部１０２において，電力取得部１１０，稼動状況取得部１１１，計測外稼動期間特定部１１２，蓄電状況推定部１１３については，図１に示す計測外消費電力量推定部１０１とほぼ同様であるので説明を省略する。
【０１８９】
計測外消費電力量推定部１０２の消費電力量推定部１１４は，利用ポリシ情報に記録された利用ポリシに基づいて，外部電源に接続した電気機器の稼動と，バッテリの蓄電電力を利用した電気機器の稼動とを推定し，計測外稼動期間とバッテリの蓄電状況とから，電気機器の計測外消費電力量を推定する。
【０１９０】
図２２は，計測外稼動期間における情報機器の利用状況を説明する図である。
【０１９１】
図２２に示すように，計測外稼動期間は，情報機器３０の状態によって，定常フェーズ，放電フェーズ，蓄電フェーズの３つのフェーズに分類することができる。
【０１９２】
定常フェーズにおける情報機器３０の状態は，情報機器３０のバッテリが満充電の状態であり，外部電源からの供給電力で情報機器３０が稼動している状態である。定常フェーズにおける情報機器３０の消費電力は，情報機器３０の外部接続機器消費電力である。
【０１９３】
放電フェーズにおける情報機器３０の状態は，バッテリの蓄電電力のみを利用して情報機器が稼動している状態である。放電フェーズでは，情報機器３０の消費電力は０となり，時間の経過とともにバッテリの蓄電量が減少する。
【０１９４】
蓄電フェーズにおける情報機器３０の状態は，情報機器３０のバッテリが満充電ではない状態であり，外部電源からの供給電力で情報機器３０が稼動している状態である。蓄電フェーズにおける情報機器３０の消費電力は，情報機器３０の外部接続機器消費電力と，バッテリへの充電電力との合計値である。
【０１９５】
ここで，図２２に示すように，計測外稼動期間Ｔにおける定常フェーズの割合，放電フェーズの割合，蓄電フェーズの割合を，それぞれα，β，γとする。このとき，α，β，γの関係は，
α＋β＋γ＝１        ・・・（３）
となる。定常フェーズの期間，放電フェーズの期間，蓄電フェーズの期間は，図２２に示すように，それぞれα＊Ｔ，β＊Ｔ，γ＊Ｔとなる。
【０１９６】
蓄電量差Ｅd は，図２２に示すように，蓄電フェーズにおける充電量（Ｐc ＊γ＊Ｔ）と，放電フェーズにおける情報機器３０の電池利用機器消費電力量（Ｐb ＊β＊Ｔ）との差分となる。すなわち，蓄電量差Ｅd は，
Ｅd ＝Ｐc ＊γ＊Ｔ−Ｐb ＊β＊Ｔ        ・・・（４）
となる。Ｐc はバッテリの充電電力を示し，Ｐb は情報機器３０の電池利用機器消費電力を示す。
【０１９７】
計測外消費電力量Ｅo は，図２２に示すように，定常フェーズにおける情報機器３０の外部接続機器消費電力量（Ｐa ＊α＊Ｔ）と，蓄電フェーズにおける情報機器３０の外部接続機器消費電力量（Ｐa ＊γ＊Ｔ），充電量（Ｐc ＊γ＊Ｔ）との合計となる。すなわち，計測外消費電力量Ｅo は，
Ｅo ＝Ｐa ＊α＊Ｔ＋（Ｐa ＋Ｐc ）＊γ＊Ｔ        ・・・（５）
となる。Ｐa は，情報機器３０の外部接続機器消費電力を示す。
【０１９８】
図２３は，蓄電量差が正値である場合の計測外消費電力量を説明する図である。
【０１９９】
図２３（Ａ）は，蓄電量差が正値であった場合に，利用者がバッテリの蓄電電力を優先的に利用して情報機器３０を稼動したと仮定したときの，計測外稼動期間における情報機器３０の状態を示す。
【０２００】
利用者がバッテリの蓄電電力を優先的に利用して情報機器３０を稼動したと仮定すると，図２３（Ａ）に示すように，定常フェーズの期間（α＊Ｔ）が０となる。すなわち，定常フェーズの割合αが０となる。このとき，上記の式（３），式（５）を整理すると，それぞれ，
β＋γ＝１        ・・・（６）
Ｅo ＝（Ｐa ＋Ｐc ）＊γ＊Ｔ        ・・・（７）
となる。
【０２０１】
式（６）から，β＝１−γとなるので，上記の式（４）を整理して変形すると，
Ｅd ＝Ｐc ＊γ＊Ｔ−Ｐb ＊（１−γ）＊Ｔ
＝（Ｐc ＋Ｐb ）＊γ＊Ｔ−Ｐb ＊Ｔ
（Ｐc ＋Ｐb ）＊γ＊Ｔ＝Ｅd −Ｐb ＊Ｔ
γ＊Ｔ＝（Ｅd −Ｐb ＊Ｔ）／（Ｐc ＋Ｐb ）        ・・・（８）
となる。
【０２０２】
式（７）と式（８）とから，
Ｅo ＝（Ｅd −Ｐb ＊Ｔ）＊（Ｐa ＋Ｐc ）／（Ｐc ＋Ｐb ）      ・・・（９）
が得られる。
【０２０３】
ここでは，利用者がバッテリの蓄電電力を優先的に利用して情報機器３０を稼動したと仮定したときの計測外消費電力量をＥb とする。すなわち，式（９）から，Ｅb は，
Ｅb ＝（Ｅd −Ｐb ＊Ｔ）＊（Ｐa ＋Ｐc ）／（Ｐc ＋Ｐb ）    ・・・（１０）
となる。
【０２０４】
図２３（Ｂ）は，蓄電量差が正値であった場合に，利用者が優先的に外部電源に接続して情報機器３０を稼動したと仮定したときの，計測外稼動期間における情報機器３０の状態を示す。
【０２０５】
利用者が優先的に外部電源に接続して情報機器３０を稼動したと仮定すると，図２３（Ｂ）に示すように，放電フェーズの期間（β＊Ｔ）が０となる。すなわち，放電フェーズの割合βが０となる。このとき，上記の式（３），式（４）を整理すると，それぞれ，
α＋γ＝１        ・・・（１１）
Ｅd ＝Ｐc ＊γ＊Ｔ        ・・・（１２）
となる。
【０２０６】
式（１１）と式（１２）とから，上記の式（５）を整理すると，
Ｅo ＝Ｐa ＊α＊Ｔ＋（Ｐa ＋Ｐc ）＊γ＊Ｔ
＝Ｐa ＊（α＋γ）＊Ｔ＋Ｐc ＊γ＊Ｔ
＝Ｐa ＊Ｔ＋Ｅd         ・・・（１３）
が得られる。
【０２０７】
ここでは，蓄電量差が正値であった場合に，利用者が優先的に外部電源に接続して情報機器３０を稼動したと仮定したときの計測外消費電力量をＥa1とする。すなわち，式（１３）から，Ｅa1は，
Ｅa1＝Ｐa ＊Ｔ＋Ｅd         ・・・（１４）
となる。
【０２０８】
利用者が優先的に外部電源に接続して情報機器３０を稼動したと仮定した場合の利用ポリシＢp を０とする。また，利用者がバッテリの蓄電電力を優先的に利用して情報機器３０を稼動したと仮定した場合の利用ポリシＢp を１とする。外部電源に接続した情報機器３０の使用と，バッテリの蓄電電力を利用した情報機器３０の使用との度合いを示す利用ポリシＢp は，０≦Ｂp ≦１となる。
【０２０９】
上記の式（１０）と，式（１４）とから，利用ポリシＢp に応じた，蓄電量差が正値である場合の計測外機器消費電力量Ｅo は，
Ｅo ＝Ｅa1＋Ｂp ＊（Ｅｂ−Ｅa1）        ・・・（１５）
で推定することができる。
【０２１０】
図２４は，蓄電量差が負値である場合の計測外消費電力量を説明する図である。
【０２１１】
図２４（Ａ）は，蓄電量差が負値であった場合に，利用者がバッテリの蓄電電力を優先的に利用して情報機器３０を稼動したと仮定したときの，計測外稼動期間における情報機器３０の状態を示す。
【０２１２】
図２４（Ａ）に示すように，利用者がバッテリの蓄電電力を優先的に利用して情報機器３０を稼動したと仮定したときの，計測外稼動期間における情報機器３０の状態は，図２３（Ａ）に示す蓄電量差が正値であった場合と同様である。すなわち，蓄電量差が負値であっても，利用者がバッテリの蓄電電力を優先的に利用して情報機器３０を稼動したと仮定したときの計測外消費電力量をＥb は，上記の式（１０）によって得られる。
【０２１３】
図２４（Ｂ）は，蓄電量差が負値であった場合に，利用者が優先的に外部電源に接続して情報機器３０を稼動したと仮定したときの，計測外稼動期間における情報機器３０の状態を示す。
【０２１４】
利用者が優先的に外部電源に接続して情報機器３０を稼動したと仮定すると，図２４（Ｂ）に示すように，蓄電フェーズの期間（γ＊Ｔ）が０となる。すなわち，蓄電フェーズの割合γが０となる。このとき，上記の式（３），式（４），式（５）を整理すると，それぞれ，
α＋β＝１        ・・・（１６）
Ｅd ＝−Ｐb ＊β＊Ｔ        ・・・（１７）
Ｅo ＝Ｐa ＊α＊Ｔ        ・・・（１８）
となる。式（１６）から，β＝１−αであるので，式（１７）を整理して変形すると，
Ｅd ＝−Ｐb ＊（１−α）＊Ｔ
＝Ｐb ＊α＊Ｔ−Ｐb ＊Ｔ
Ｐb ＊α＊Ｔ＝Ｅd ＋Ｐb ＊Ｔ
α＊Ｔ＝Ｔ＋Ｅd ／Ｐb         ・・・（１９）
式（１９）から，上記の式（１８）を整理すると，
Ｅo ＝Ｐa ＊（Ｔ＋Ｅd ／Ｐb ）
＝Ｐa Ｔ＋Ｅd ＊Ｐa ／Ｐb         ・・・（２０）
が得られる。
【０２１５】
ここでは，蓄電量差が負値であった場合に，利用者が優先的に外部電源に接続して情報機器３０を稼動したと仮定したときの計測外消費電力量をＥa2とする。すなわち，式（２０）から，Ｅa2は，
Ｅa2＝Ｐa Ｔ＋Ｅd ＊Ｐa ／Ｐb         ・・・（２１）
となる。
【０２１６】
利用者が優先的に外部電源に接続して情報機器３０を稼動したと仮定した場合の利用ポリシＢp を０とする。また，利用者がバッテリの蓄電電力を優先的に利用して情報機器３０を稼動したと仮定した場合の利用ポリシＢp を１とする。外部電源に接続した情報機器３０の使用と，バッテリの蓄電電力を利用した情報機器３０の使用との度合いを示す利用ポリシＢp は，０≦Ｂp ≦１となる。
【０２１７】
上記の式（１０）と，式（２１）とから，利用ポリシＢp に応じた，蓄電量差が負値である場合の計測外機器消費電力量Ｅo は，
Ｅo ＝Ｅa2＋Ｂp ＊（Ｅｂ−Ｅa2）        ・・・（２２）
で推定することができる。
【０２１８】
図２５は，本実施の形態２による利用ポリシ情報記憶部に格納されるデータの構成例を示す図である。
【０２１９】
図２５に示す利用ポリシデータ２６０は，利用ポリシ情報記憶部２１０に記憶された利利用ポリシ情報のデータ構造の一例である。図２５に示す利用ポリシデータ２６０は，機器ＩＤ，利用ポリシ等の情報を持つ。機器ＩＤは，電気機器を一意に識別する識別情報である。利用ポリシは，外部電源に接続した電気機器の使用と，バッテリの蓄電電力を利用した電気機器の使用との度合いを示す情報である。
【０２２０】
図２５に示す利用ポリシデータ２６０における利用ポリシは，値が０に近いほど外部電源に接続した電気機器の使用の度合いが高くなり，値が１に近いほどバッテリの蓄電電力を利用した電気機器の使用の度合いが高くなる。
【０２２１】
以下，本実施の形態２の計測外消費電力量推定部１０２による計測外消費電力量推定全体処理の流れの例を説明する。
【０２２２】
本実施の形態２の計測外消費電力量推定部１０２による計測外消費電力量推定全体処理は，図１７，図１８のフローチャートに示す，実施の形態１の計測外消費電力量推定部１０１による計測外消費電力量推定全体処理と同様である。ただし，図１８のステップＳ２１における変数の初期化では，計測外消費電力量推定部１０２は，充電量と満充電フラグとを０に初期化することに加えて，さらに充電時間を０に初期化する。
【０２２３】
図２６は，本実施の形態２の計測外消費電力量推定部による充電処理フローチャートである。
【０２２４】
本実施の形態２の計測外消費電力量推定部１０２による充電処理は，図１９のフローチャートに示す，実施の形態１の計測外消費電力量推定部１０１による充電処理に，充電時間を加算する処理（ステップＳ３２５およびステップＳ３５５）を加えたものである。
【０２２５】
蓄電状況推定部１１３は，計測電力が外部接続機器消費電力に所定の満充電判定電力Ｗ2 を加算した値以上である場合に（ステップＳ３２のＹＥＳ），充電時間に測定間隔を加算する（ステップＳ３２５）。また，蓄電状況推定部１１３は，計測電力が所定の満充電判定電力Ｗ2 以上である場合に（ステップＳ３５のＹＥＳ），充電時間に測定間隔を加算する（ステップＳ３５５）。
【０２２６】
これ以外の処理については，図１９のフローチャートに示す，実施の形態１の計測外消費電力量推定部１０１による充電処理と同様である。
【０２２７】
図２７は，本実施の形態２の計測外消費電力量推定部による計測外消費電力量推定処理フローチャートである。
【０２２８】
本実施の形態２の計測外消費電力量推定部１０２による計測外消費電力量推定処理は，図２０のフローチャートに示す，実施の形態１の計測外消費電力量推定部１０１による計測外消費電力量推定処理の一部を変更したものである。
【０２２９】
本実施の形態２の計測外消費電力量推定処理では，蓄電状況推定部１１３が，バッテリの充電電力を算出する（ステップＳ４３５）。バッテリの充電電力は，例えば，
充電電力＝充電量／充電時間
で求められる。この式で得られる充電電力は，計測時間帯の充電時間における実際の充電電力の平均値である。
【０２３０】
また，本実施の形態２の計測外消費電力量推定処理では，計測外稼動期間が０でない場合（ステップＳ４４のＮＯ）の計測外消費電力量の推定に用いる式が，実施の形態１の計測外消費電力量推定処理とは異なる。
【０２３１】
消費電力量推定部１１４は，蓄電量差が正値である場合に（ステップＳ４５のＹＥＳ），上記の式（１５）を用いて，計測外消費電力量を推定する（ステップＳ４６’）。また，消費電力量推定部１１４は，蓄電量差が正値でない場合に（ステップＳ４５のＮＯ），上記の式（２２）を用いて，計測外消費電力量を推定する（ステップＳ４７’）。
【０２３２】
これ以外の処理については，図２０のフローチャートに示す，実施の形態１の計測外消費電力量推定部１０１による計測外消費電力量推定処理と同様である。
【０２３３】
本実施の形態２の計測外消費電力量推定部１０２により，利用者や使用環境ごとの情報機器３０の使用ケースを考慮した，より精度が高い情報機器３０の計測外消費電力量の推定が可能となる。例えば，営業職などバッテリ利用の機会が多い利用者の情報機器３０については，利用ポリシＢp の値を高く設定し，開発職など外部電源の接続が多い利用者の情報機器３０については，利用ポリシＢp の値を低く設定するなど，情報機器３０の使用状況に応じた細かい対応が可能となる。
【０２３４】
〔実施の形態３〕
情報機器３０のメーカが発表する定格のバッテリの電池容量は，必ずしも正確な情報機器３０のバッテリの電池容量とはならない。そのため，設定された電池容量がメーカ発表の定格のバッテリの電池容量である場合には，計測外消費電力量の推定結果の精度が低くなってしまう可能性がある。
【０２３５】
また，使用や時間経過に応じてバッテリは劣化するため，バッテリの電池容量は，使用や時間経過に応じて減少する。最初に設定された電池容量をそのまま計測外消費電力量の推定に利用し続けると，バッテリの劣化に応じて，計測外消費電力量の推定結果の精度が低くなっていく。
【０２３６】
本実施の形態３では，より正確なバッテリの電池容量を推定する例を説明する。
【０２３７】
図２８は，本実施の形態３による電力センシングシステムの構成例を示す図である。
【０２３８】
図２８に示す電力センシングシステムの構成は，図１に示す電力センシングシステムの構成とほとんど同じ構成であり，計測外消費電力量推定部１０３のみが異なる。ここでは，計測外消費電力量推定部１０３以外の構成については，説明を省略する。
【０２３９】
計測外消費電力量推定部１０３は，図１に示す計測外消費電力量推定部１０１の構成に加えて，電池容量更新部１１５と，電池容量推定部１１６とを備える。計測外消費電力量推定部１０３において，電力取得部１１０，稼動状況取得部１１１，計測外稼動期間特定部１１２，蓄電状況推定部１１３，消費電力量推定部１１４については，図１に示す計測外消費電力量推定部１０１と同様であるので説明を省略する。
【０２４０】
電池容量更新部１１５は，時間の経過に応じて，電池容量情報記憶部２０６に記憶された電池容量を，自動的に減らして更新する。電池容量を更新するタイミングと，電池容量を減らす量の設定は任意である。時間の経過に応じて設定された電池容量を減少させることで，実際のバッテリの電池容量の劣化に対応する。
【０２４１】
電池容量推定部１１６は，電力の計測結果で電気機器による電力の消費が計測された期間におけるバッテリの充電量が，電池容量情報に記録されたバッテリの電池容量を超えたときに，電池容量情報に記録されたバッテリの電池容量を，充電量で更新する。実際のバッテリの充電量が，１回の計測時間帯におけるバッテリの充電量より低いことはない。バッテリの充電量が設定されたバッテリの電池容量を超えたときに，設定されたバッテリの電池容量を充電量で更新することで，低すぎる電池容量を修正することができる。
【０２４２】
図２９は，本実施の形態３の電池容量更新部による電池容量更新処理フローチャートである。
【０２４３】
図２９に示す電池容量更新処理は，時間の経過に応じて，随時実行される。
【０２４４】
電池容量更新部１１５は，電池容量情報記憶部２０６に記憶された設定時刻を参照し，バッテリの電池容量が最後に更新された設定時刻から，所定時間が経過したかを判定する（ステップＳ６０）
電池容量の設定時刻から所定時間が経過していれば（ステップＳ６０のＹＥＳ），電池容量更新部１１５は，電池容量情報記憶部２０６に記憶された電池容量を，所定量減少させる更新を行う（ステップＳ６１）。このとき，電池容量更新部１１５は，電池容量情報記憶部２０６に記憶された設定時刻も更新する。
【０２４５】
図３０は，本実施の形態３の電池容量推定部による電池容量推定処理フローチャートである。
【０２４６】
図３０に示す電池容量推定処理は，例えば，図１９に示す実施の形態１のフローチャートにおいて，満充電フラグを１に更新した処理（ステップＳ３４，ステップＳ３７）の後に実行される。
【０２４７】
電池容量推定部１１６は，充電量が，電池容量情報記憶部２０６に記憶された電池容量を超えたかを判定する（ステップＳ７０）。
【０２４８】
充電量が電池容量情報記憶部２０６に記憶された電池容量を超えた場合には（ステップＳ７０のＹＥＳ），電池容量推定部１１６は，電池容量情報記憶部２０６に記憶された電池容量を，充電量で更新する（ステップＳ７１）。
【０２４９】
本実施の形態３の計測外消費電力量推定部１０３により，設定されたバッテリの電池容量を，実際のバッテリの電池容量により近い値に，随時更新することが可能となる。これにより，より精度が高い情報機器３０の計測外消費電力量の推定が可能となる。
【０２５０】
〔実施の形態４〕
情報機器３０の外部接続機器消費電力は，情報機器３０の利用環境によって変わる。例えば，情報機器３０が備えるディスプレイの明るさを変更したり，情報機器３０にオプション機器を接続するだけで，情報機器３０の外部接続機器消費電力は変わってしまう。そのため，メーカが発表する情報機器３０の定格消費電力は，必ずしも正確な情報機器３０の外部接続機器消費電力とはならない。設定された外部接続機器消費電力がメーカ発表の定格消費電力のままである場合には，計測外消費電力量の推定結果の精度が低くなってしまう可能性がある。
【０２５１】
本実施の形態４では，より正確な情報機器３０の外部接続機器消費電力を推定する例を説明する。
【０２５２】
図３１は，本実施の形態４による電力センシングシステムの構成例を示す図である。
【０２５３】
図３１に示す電力センシングシステムの構成は，図１に示す電力センシングシステムの構成とほとんど同じ構成であり，計測外消費電力量推定部１０４のみが異なる。ここでは，計測外消費電力量推定部１０４以外の構成については，説明を省略する。
【０２５４】
計測外消費電力量推定部１０４は，図１に示す計測外消費電力量推定部１０１の構成に加えて，外部接続機器消費電力推定部１１７を備える。また，計測外消費電力量推定部１０４の情報記憶部２００は，図３に示す構成に加えて，外部接続時推定管理情報記憶部２１１を備える。
【０２５５】
計測外消費電力量推定部１０４において，電力取得部１１０，稼動状況取得部１１１，計測外稼動期間特定部１１２，蓄電状況推定部１１３，消費電力量推定部１１４については，図１に示す計測外消費電力量推定部１０１と同様であるので説明を省略する。
【０２５６】
外部接続機器消費電力推定部１１７は，電力の計測結果で電気機器による電力の消費が計測された期間であり，かつ電気機器が稼動する期間において，電力の計測結果から，時間の経過とともに計測される電力が減少する際に漸近する値を推定する。外部接続機器消費電力推定部１１７は，外部接続機器消費電力情報記憶部２０４に記憶された外部接続機器消費電力を，推定された漸近する値で更新する。
【０２５７】
図１５に示すように，計測される稼動中の情報機器３０の消費電力は，バッテリが満充電の状態に近づくに従って，特定の値に漸近する。この漸近する値が，その時点における情報機器３０の外部接続機器消費電力であると推定できる。外部接続機器消費電力推定部１１７は，このような計測される稼動中の情報機器３０の消費電力が漸近する値を，外部接続機器消費電力の推定値として求める。
【０２５８】
外部接続時推定管理情報記憶部２１１は，外部接続機器消費電力推定部１１７による処理で用いられる定数や変数の情報を管理する外部接続時推定管理情報を記憶する記憶部である。
【０２５９】
図３２は，本実施の形態４による外部接続時推定管理情報記憶部に格納されるデータの構成例を示す図である。
【０２６０】
図３２に示す外部接続時推定管理データ２６１は，外部接続時推定管理情報記憶部２１１に記憶された外部接続時推定管理情報の一例である。図３２に示す外部接続時推定管理データ２６１は，定数名／変数名，値等の情報を持つ。定数名／変数名は，設定された定数の名称や，外部接続機器消費電力推定部１１７による処理の過程で，随時値が更新される変数の名称である。値は，設定された定数の値や随時更新される変数の値である。
【０２６１】
図３２に示す外部接続時推定管理データ２６１において，計測電力減少量判定電力は，計測電力減少量の判定に用いる閾値を示す。
【０２６２】
図３２に示す外部接続時推定管理データ２６１において，計測電力減少回数判定値は，計測電力の減少が続いた回数の判定に用いる閾値を示す。
【０２６３】
図３２に示す外部接続時推定管理データ２６１において，前回計測電力は，前回のタイミングで取得された計測電力を示す変数である。
【０２６４】
図３２に示す外部接続時推定管理データ２６１において，前回計測電力減少量は，前々回のタイミングで取得された計測電力から前回のタイミングで取得された計測電力への減少量を示す変数である。
【０２６５】
図３２に示す外部接続時推定管理データ２６１において，計測電力減少量は，前回のタイミングで取得された計測電力から今回のタイミングで取得された計測電力への減少量を示す変数である。
【０２６６】
図３２に示す外部接続時推定管理データ２６１において，計測電力減少回数は，計測電力の減少が続いた回数を示す変数である。
【０２６７】
図３３は，本実施の形態４の外部接続機器消費電力推定部による外部接続機器消費電力推定処理フローチャートである。
【０２６８】
図３３に示す外部接続機器消費電力推定処理は，例えば，図１９に示す実施の形態１のフローチャートにおいて，情報機器３０が稼動中であると判定された処理（ステップＳ３１のＹＥＳ）の直後に実行される。
【０２６９】
外部接続機器消費電力推定部１１７は，今回の計測電力が前回計測電力より減少したかを判定する（ステップＳ８０）。
【０２７０】
今回の計測電力が前回の計測電力より減少していない場合には（ステップＳ８０のＮＯ），外部接続機器消費電力推定部１１７は，計測電力減少回数を０に初期化する（ステップＳ８１）。外部接続機器消費電力推定部１１７は，計測電力減少量を０に初期化し（ステップＳ８２），ステップＳ８９の処理に進む。
【０２７１】
今回の計測電力が前回の計測電力より減少した場合には（ステップＳ８０のＹＥＳ），外部接続機器消費電力推定部１１７は，計測電力減少回数をカウントアップする（ステップＳ８３）。外部接続機器消費電力推定部１１７は，前回計測電力と今回の計測電力とから，計測電力減少量を算出する（ステップＳ８４）。ここで算出された値で，計測電力減少量が更新される。
【０２７２】
外部接続機器消費電力推定部１１７は，算出された計測電力減少量が前回計測電力減少量以下であるかを判定する（ステップＳ８５）。算出された計測電力減少量が前回計測電力減少量以下でなければ（ステップＳ８５のＮＯ），外部接続機器消費電力推定部１１７は，ステップＳ８９の処理に進む。
【０２７３】
算出された計測電力減少量が前回計測電力減少量以下であれば（ステップＳ８５のＹＥＳ），外部接続機器消費電力推定部１１７は，計測電力減少量が所定の計測電力減少量判定電力以下であるかを判定する（ステップＳ８６）。計測電力減少量が所定の計測電力減少量判定電力以下でなければ（ステップＳ８６のＮＯ），外部接続機器消費電力推定部１１７は，ステップＳ８９の処理に進む。
【０２７４】
計測電力減少量が所定の計測電力減少量判定電力以下であれば（ステップＳ８６のＹＥＳ），外部接続機器消費電力推定部１１７は，計測電力減少回数が所定の計測電力減少回数判定値以上であるかを判定する（ステップＳ８７）。計測電力減少回数が所定の計測電力減少回数判定値以上でなければ（ステップＳ８７のＮＯ），外部接続機器消費電力推定部１１７は，ステップＳ８９の処理に進む。
【０２７５】
計測電力減少回数が所定の計測電力減少回数判定値以上であれば（ステップＳ８７のＹＥＳ），外部接続機器消費電力推定部１１７は，外部接続機器消費電力情報記憶部２０４に記憶された外部接続機器消費電力を今回の計測電力で更新する（ステップＳ８８）。
【０２７６】
外部接続機器消費電力推定部１１７は，各変数を更新して（ステップＳ８９），処理を終了する。ここでは，前回計測電力が今回の計測電力で更新され，前回計測電力減少量が計測電力減少量で更新される。
【０２７７】
なお，ここでは，図３３のフローチャートに示す処理によって，計測される情報機器３０の消費電力が漸近する値を検出しているが，計測される情報機器３０の消費電力の変化を指数関数などで近似して，漸近する値を検出するようにしてもよい。また，計測される情報機器３０の消費電力の時系列値をサポートベクトルマシン（ＳＶＭ：Support vector machine）に入力し，漸近する値を検出するようにしてもよい。
【０２７８】
本実施の形態４の計測外消費電力量推定部１０４により，情報機器３０の利用環境に応じた適切な外部接続機器消費電力を推定し，その推定結果で設定された外部接続機器消費電力を随時更新することが可能となる。これにより，より精度が高い情報機器３０の計測外消費電力量の推定が可能となる。
【０２７９】
〔実施の形態５〕
情報機器３０の電池利用機器消費電力は，外部接続機器消費電力と同様に，情報機器３０の利用環境によって変わる。そのため，メーカが発表する情報機器３０のバッテリ利用時の定格消費電力は，必ずしも正確な情報機器３０の電池利用機器消費電力とはならない。設定された電池利用機器消費電力がメーカ発表のバッテリ利用時の定格消費電力のままである場合には，計測外消費電力量の推定結果の精度が低くなってしまう可能性がある。
【０２８０】
本実施の形態５では，より正確な情報機器３０の電池利用機器消費電力を推定する例を説明する。
【０２８１】
図３４は，本実施の形態５による電力センシングシステムの構成例を示す図である。
【０２８２】
図３４に示す電力センシングシステムの構成は，図１に示す電力センシングシステムの構成とほとんど同じ構成であり，電力測定・制御部４１と，計測外消費電力量推定部１０５のみが異なる。ここでは，電力測定・制御部４１と，計測外消費電力量推定部１０５以外の構成については，説明を省略する。
【０２８３】
電力測定・制御部４１は，図１に示す電力測定部４０の機能に加えて，設置されたコンセントによる電源の切断／接続を制御する機能を備える。
【０２８４】
計測外消費電力量推定部１０５は，図１に示す計測外消費電力量推定部１０１の構成に加えて，電源制御部１１８と，電池利用機器消費電力推定部１１９とを備える。また，計測外消費電力量推定部１０５の情報記憶部２００は，図３に示す構成に加えて，電池利用時推定管理情報記憶部２１２を備える。
【０２８５】
計測外消費電力量推定部１０５において，電力取得部１１０，稼動状況取得部１１１，計測外稼動期間特定部１１２，蓄電状況推定部１１３，消費電力量推定部１１４については，図１に示す計測外消費電力量推定部１０１と同様であるので説明を省略する。
【０２８６】
電源制御部１１８は，電力が計測される外部電源から電気機器への電力の供給を制御する。例えば，電源制御部１１８は，電力測定・制御部４１に対して電源ＯＦＦや電源ＯＮの制御信号を送り，電力測定・制御部４１に，情報機器３０に電力を供給する外部電源の切断／接続を行わせる。
【０２８７】
電池利用機器消費電力推定部１１９は，電源制御部１１８により電気機器への電力の供給が一時的に切断された際に，電力測定・制御部４１による電力の計測結果から，切断前後のバッテリの蓄電量の差を求める。電池利用機器消費電力推定部１１９は，求められた切断前後の蓄電量の差と切断の時間とから，新たな電池利用機器消費電力を推定する。電池利用機器消費電力推定部１１９は，電池利用機器消費電力情報記憶部２０５に記憶された電池利用機器消費電力を，推定された新たな電池利用機器消費電力で更新する。
【０２８８】
電池利用時推定管理情報記憶部２１２は，電池利用機器消費電力推定部１１９による処理で用いられる定数や変数の情報を管理する電池利用時推定管理情報を記憶する記憶部である。
【０２８９】
図３５は，本実施の形態５による電池利用時推定管理情報記憶部に格納されるデータの構成例を示す図である。
【０２９０】
図３５に示す電池利用時推定管理データ２６２は，電池利用時推定管理情報記憶部２１２に記憶された電池利用時推定管理情報の一例である。図３５に示す電池利用時推定管理データ２６２は，定数名／変数名，値等の情報を持つ。定数名／変数名は，設定された定数の名称や，電池利用機器消費電力推定部１１９による処理の過程で，随時値が更新される変数の名称である。値は，設定された定数の値や随時更新される変数の値である。
【０２９１】
図３５に示す電池利用時推定管理データ２６２において，切断時間は，電力測定・制御部４１により外部電源から情報機器３０への電源を意図的に切断する期間を示す定数である。
【０２９２】
図３５に示す電池利用時推定管理データ２６２において，電池利用分充電量は，意図的な電源の切断期間後の，情報機器３０のバッテリへの充電量を示す変数である。
【０２９３】
図３６は，本実施の形態５の計測外消費電力量推定部による電池利用機器消費電力推定処理フローチャートである。
【０２９４】
図３６に示す外部接続機器消費電力推定処理は，所定のタイミングで，随時実行される。
【０２９５】
計測外消費電力量推定部１０５は，情報機器３０が稼動中であるかを判定する（ステップＳ９０）。情報機器３０が稼動中でなければ（ステップＳ９０のＮＯ），電池利用機器消費電力の推定は不可となる。
【０２９６】
情報機器３０が稼動中であれば（ステップＳ９０のＹＥＳ），計測外消費電力量推定部１０５は，電力取得部１１０により取得された計測電力が，所定の電源接続有無判定電力Ｗ1 以上であるかを判定する（ステップＳ９１）。取得された計測電力が所定の電源接続有無判定電力Ｗ1 以上でなければ（ステップＳ９１のＮＯ），計測時間帯ではないので，電池利用機器消費電力の推定は不可となる。
【０２９７】
取得された計測電力が所定の電源接続有無判定電力Ｗ1 以上であれば（ステップＳ９１のＹＥＳ），計測外消費電力量推定部１０５は，取得された計測電力が，外部接続機器消費電力に所定の満充電判定電力Ｗ2 を加算した値以上であるかを判定する（ステップＳ９２）。計測電力が外部接続機器消費電力に所定の満充電判定電力Ｗ2 を加算した値以上であれば（ステップＳ９２のＹＥＳ），情報機器３０のバッテリは満充電の状態ではないので，電池利用機器消費電力の推定は不可となる。
【０２９８】
計測電力が外部接続機器消費電力に所定の満充電判定電力Ｗ2 を加算した値以上でなければ（ステップＳ９２のＮＯ），電源制御部１１８は，電力測定・制御部４１に対する電源ＯＦＦ制御を実行する（ステップＳ９３）。電力測定・制御部４１により，特定のコンセントに接続された情報機器３０に対する電力供給が停止される。
【０２９９】
計測外消費電力量推定部１０５は，所定の切断時間だけウェイトする（ステップＳ９４）。
【０３００】
電源制御部１１８は，電力測定・制御部４１に対する電源ＯＮ制御を実行する（ステップＳ９５）。電力測定・制御部４１により，特定のコンセントに接続された情報機器３０に対する電力供給が再開される。
【０３０１】
電力取得部１１０は，電力測定・制御部４１による計測電力を取得する（ステップＳ９６）。
【０３０２】
電池利用機器消費電力推定部１１９は，電力取得部１１０により取得された計測電力が，外部接続機器消費電力に所定の満充電判定電力Ｗ2 を加算した値以上であるかを判定する（ステップＳ９７）。
【０３０３】
計測電力が外部接続機器消費電力に所定の満充電判定電力Ｗ2 を加算した値以上であれば（ステップＳ９７のＹＥＳ），電池利用機器消費電力推定部１１９は，電池利用分充電量に計測電力を加算する（ステップＳ９８）。なお，電池利用分充電量は，本処理の開始時に，０に初期化されているものとする。電池利用機器消費電力推定部１１９は，所定の測定間隔だけウェイトし（ステップＳ９９），ステップＳ９６の処理に戻る。
【０３０４】
計測電力が外部接続機器消費電力に所定の満充電判定電力Ｗ2 を加算した値以上でなければ（ステップＳ９７のＮＯ），電池利用機器消費電力推定部１１９は，電池利用機器消費電力を推定する（ステップＳ１００）。電池利用機器消費電力は，
電池利用機器消費電力＝電池利用分充電量／切断時間
で推定される。電池利用機器消費電力推定部１１９は，電池利用機器消費電力情報記憶部２０５に記憶された電池利用機器消費電力を更新する（ステップＳ１０１）。
【０３０５】
本実施の形態５の計測外消費電力量推定部１０５により，情報機器３０の利用環境に応じた適切な電池利用機器消費電力を推定し，その推定結果で設定された電池利用機器消費電力を随時更新することが可能となる。これにより，より精度が高い情報機器３０の計測外消費電力量の推定が可能となる。
【０３０６】
以上，本実施の形態について説明したが，本発明はその主旨の範囲において種々の変形が可能であることは当然である。
【０３０７】
例えば，本実施の形態では，リアルタイムに取得された電力の計測結果や，情報機器３０の稼動状況に基づいて，情報機器３０の計測外消費電力量を算出する例を説明した。計測結果情報記憶部２０２に蓄積された電力の計測結果や，稼動状況情報記憶部２０３に蓄積された情報機器３０の稼動状況に基づいて，後から情報機器３０の計測外消費電力量を算出するようにしてもよい。
【０３０８】
また，例えば，本実施の形態では，管理装置１０とは別にアウェアネスサーバ７０が存在する例を説明したが，管理装置１０の内部にアウェアネスサーバ７０の機能があってもよい。このとき，稼動状況取得部１１１は，情報機器３０から稼動状況を取得する。
【符号の説明】
【０３０９】
１０  管理装置
１０１，１０２，１０３，１０４，１０５  計測外消費電力量推定部
１１０  電力取得部
１１１  稼動状況取得部
１１２  計測外稼動期間特定部
１１３  蓄電状況推定部
１１４  消費電力量推定部
１１５  電池容量更新部
１１６  電池容量推定部
１１７  外部接続機器消費電力推定部
１１８  電源制御部
１１９  電池利用機器消費電力推定部
２００  情報記憶部
２０１  機器・コンセント対応情報記憶部
２０２  計測結果情報記憶部
２０３  稼動状況情報記憶部
２０４  外部接続機器消費電力情報記憶部
２０５  電池利用機器消費電力情報記憶部
２０６  電池容量情報記憶部
２０７  定数管理情報記憶部
２０８  変数管理情報記憶部
２０９  計測外消費電力量推定結果記憶部
２１０  利用ポリシ情報記憶部
２１１  外部接続時推定管理情報記憶部
２１２  電池利用時推定管理情報記憶部
３０  情報機器
４０  電力測定部
４１  電力測定・制御部
５０  電力系
６０，８０，ネットワーク
７０  アウェアネスサーバ
７１  アウェアネス情報記憶部
【図１】
0005585439.tif 000002
【図２】
0005585439.tif 000003
【図３】
0005585439.tif 000004
【図４】
0005585439.tif 000005
【図５】
0005585439.tif 000006
【図６】
0005585439.tif 000007
【図７】
0005585439.tif 000008
【図８】
0005585439.tif 000009
【図９】
0005585439.tif 000010
【図１０】
0005585439.tif 000011
【図１１】
0005585439.tif 000012
【図１２】
0005585439.tif 000013
【図１３】
0005585439.tif 000014
【図１４】
0005585439.tif 000015
【図１５】
0005585439.tif 000016
【図１６】
0005585439.tif 000017
【図１７】
0005585439.tif 000018
【図１８】
0005585439.tif 000019
【図１９】
0005585439.tif 000020
【図２０】
0005585439.tif 000021
【図２１】
0005585439.tif 000022
【図２２】
0005585439.tif 000023
【図２３】
0005585439.tif 000024
【図２４】
0005585439.tif 000025
【図２５】
0005585439.tif 000026
【図２６】
0005585439.tif 000027
【図２７】
0005585439.tif 000028
【図２８】
0005585439.tif 000029
【図２９】
0005585439.tif 000030
【図３０】
0005585439.tif 000031
【図３１】
0005585439.tif 000032
【図３２】
0005585439.tif 000033
【図３３】
0005585439.tif 000034
【図３４】
0005585439.tif 000035
【図３５】
0005585439.tif 000036
【図３６】
0005585439.tif 000037